(57)【要約】無線通信におけるフィードバック信号のサイズを決定する方法、装置、およびシステムが、開示される。一実施形態において、無線通信デバイスによって実施される方法が、開示される。方法は、無線通信ノードから第１のフォーマットを有する第１のダウンリンク制御情報および第２のフォーマットを有する第２のダウンリンク制御情報を受信することと、無線通信ノードから複数のトランスポートブロックを受信することと、複数のフィードバック信号を無線通信ノードに伝送することとを含む。複数のトランスポートブロックの各々は、第１のダウンリンク制御情報および第２のダウンリンク制御情報のうちの１つによってスケジューリングされる。複数のフィードバック信号の各々は、同じサイズを有し、複数のトランスポートブロックのうちのそれぞれのものに対応する。
2021503257.tif 000002
【特許請求の範囲】
【請求項１】
無線通信デバイスによって実施される方法であって、前記方法は、
無線通信ノードから第１のフォーマットを有する第１のダウンリンク制御情報および第２のフォーマットを有する第２のダウンリンク制御情報を受信することと、
前記無線通信ノードから複数のトランスポートブロックを受信することであって、前記複数のトランスポートブロックの各々は、前記第１のダウンリンク制御情報および前記第２のダウンリンク制御情報のうちの１つによってスケジューリングされている、ことと、
複数のフィードバック信号を前記無線通信ノードに伝送することと
を含み、
前記複数のフィードバック信号の各々は、同じサイズを有し、前記複数のトランスポートブロックのうちのそれぞれのものに対応している、方法。
【請求項２】
前記複数のフィードバック信号は、同じ伝送リソースを使用して多重化される、請求項１に記載の方法。
【請求項３】
前記第１のフォーマットは、フォールバックモードダウンリンク制御情報を示し、前記第１のフォーマットによってスケジューリングされたトランスポートブロックは、第１のサイズを有するフィードバックをトリガするように要求され、
前記第２のフォーマットは、非フォールバックモードダウンリンク制御情報を示し、前記第２のフォーマットによってスケジューリングされたトランスポートブロックは、第２のサイズを有するフィードバックをトリガするように要求される、請求項１に記載の方法。
【請求項４】
前記第２のダウンリンク制御情報によってスケジューリングされた各トランスポートブロックは、同じ数のコードブロックグループを含み、
前記第１のダウンリンク制御情報によってスケジューリングされた各トランスポートブロックに対応するフィードバック信号は、前記コードブロックグループの数と同じ数のフィードバックビットを含む、請求項３に記載の方法。
【請求項５】
前記フィードバックビットの各々は、前記無線通信デバイスが前記トランスポートブロックを検出し、正しくデコードすることに従って、前記トランスポートブロックの肯定応答を示し、
前記フィードバックビットの各々は、前記無線通信デバイスが前記トランスポートブロックを検出するが、正しくデコードしないことに従って、前記トランスポートブロックの否定応答を示し、
前記フィードバックビットの各々は、前記無線通信デバイスが前記トランスポートブロックの検出に失敗することに従って、前記トランスポートブロックの否定応答を示す、
請求項４に記載の方法。
【請求項６】
前記フィードバックビットのうちの１つは、前記無線通信デバイスが前記トランスポートブロックを検出し、正しくデコードすることに従って、前記トランスポートブロックの肯定応答を示し、前記無線通信デバイスが前記トランスポートブロックを検出するが、正しくデコードしないことに従って、前記トランスポートブロックの否定応答を示し、前記無線通信デバイスが前記トランスポートブロックの検出に失敗することに従って、前記トランスポートブロックの否定応答を示し、
残りのフィードバックビットは、前記無線通信デバイスおよび前記無線通信ノードによって設定された所定のパターンを有する、請求項４に記載の方法。
【請求項７】
前記フィードバックビットの各々は、前記無線通信デバイスが前記トランスポートブロックを検出することに従って、前記それぞれのコードブロックグループのデコード結果に応じて、前記トランスポートブロックにおける前記コードブロックグループのうちのそれぞれのものの肯定応答または否定応答を示し、
前記フィードバックビットの各々は、前記無線通信デバイスが前記トランスポートブロックの検出に失敗することに従って、前記トランスポートブロックにおける前記コードブロックグループのうちのそれぞれのものの否定応答を示す、請求項４に記載の方法。
【請求項８】
前記複数のトランスポートブロックは、少なくとも１つのキャリアによって搬送され、
同じキャリアによって搬送されるトランスポートブロックは、同じ数のコードブロックグループを有し、
前記第１のダウンリンク制御情報によってスケジューリングされた第１のトランスポートブロックに対応するフィードバック信号は、前記第２のダウンリンク制御情報によってスケジューリングされ、前記第１のトランスポートブロックと同じキャリアによって搬送される第２のトランスポートブロックにおけるコードブロックグループの数と同じ数のフィードバックビットを含む、請求項３に記載の方法。
【請求項９】
前記第１のダウンリンク制御情報によってスケジューリングされた第１のトランスポートブロックに対応するフィードバック信号は、前記第２のダウンリンク制御情報によってスケジューリングされた第２のトランスポートブロックにおけるコードブロックグループの数と同じ数のフィードバックビットを含み、
前記数は、前記無線通信デバイスによって受信された最新の上層信号によって構成される、請求項３に記載の方法。
【請求項１０】
各トランスポートブロックに対応するフィードバック信号は、前記無線通信デバイスおよび前記無線通信ノードによって設定された同じ数かつ固定された数のビットを含む、請求項１に記載の方法。
【請求項１１】
前記複数のフィードバック信号の各々は、異なる伝送リソースを使用して伝送される、請求項１に記載の方法。
【請求項１２】
前記第１のフォーマットは、フォールバックモードダウンリンク制御情報を示し、
前記第１のダウンリンク制御情報によってスケジューリングされた各トランスポートブロックに対応するフィードバック信号は、前記無線通信デバイスが前記トランスポートブロックを検出し、正しくデコードすることに従って、前記トランスポートブロックの肯定応答を示す１ビットを含み、前記無線通信デバイスが前記トランスポートブロックを検出するが、正しくデコードしないことに従って、前記トランスポートブロックにおけるコードブロックグループの数と同じ数のフィードバックビットを含む、請求項１１に記載の方法。
【請求項１３】
無線通信ノードによって実施される方法であって、前記方法は、
第１のフォーマットを有する第１のダウンリンク制御情報および第２のフォーマットを有する第２のダウンリンク制御情報を無線通信デバイスに伝送することと、
複数のトランスポートブロックを前記無線通信デバイスに伝送することであって、前記複数のトランスポートブロックの各々は、前記第１のダウンリンク制御情報および前記第２のダウンリンク制御情報のうちの１つによってスケジューリングされている、ことと、
前記無線通信デバイスから複数のフィードバック信号を受信することと
を含み、
前記複数のフィードバック信号の各々は、同じサイズを有し、前記複数のトランスポートブロックのうちのそれぞれのものに対応している、方法。
【請求項１４】
前記複数のフィードバック信号は、同じ伝送リソースを使用して前記無線通信デバイスによって多重化される、請求項１３に記載の方法。
【請求項１５】
前記第１のフォーマットは、フォールバックモードダウンリンク制御情報を示し、前記第１のフォーマットによってスケジューリングされたトランスポートブロックは、第１のサイズを有するフィードバックをトリガするように要求され、
前記第２のフォーマットは、非フォールバックモードダウンリンク制御情報を示し、前記第２のフォーマットによってスケジューリングされたトランスポートブロックは、第２のサイズを有するフィードバックをトリガするように要求される、請求項１３に記載の方法。
【請求項１６】
前記第２のダウンリンク制御情報によってスケジューリングされた各トランスポートブロックは、同じ数のコードブロックグループを含み、
前記第１のダウンリンク制御情報によってスケジューリングされた各トランスポートブロックに対応するフィードバック信号は、前記コードブロックグループの数と同じ数のフィードバックビットを含む、請求項１５に記載の方法。
【請求項１７】
前記フィードバックビットの各々は、前記無線通信デバイスが前記トランスポートブロックを検出し、正しくデコードすることに従って、前記トランスポートブロックの肯定応答を示し、
前記フィードバックビットの各々は、前記無線通信デバイスが前記トランスポートブロックを検出するが、正しくデコードしないことに従って、前記トランスポートブロックの否定応答を示し、
前記フィードバックビットの各々は、前記無線通信デバイスが前記トランスポートブロックの検出に失敗することに従って、前記トランスポートブロックの否定応答を示す、
請求項１６に記載の方法。
【請求項１８】
前記フィードバックビットのうちの１つは、前記無線通信デバイスが前記トランスポートブロックを検出し、正しくデコードすることに従って、前記トランスポートブロックの肯定応答を示し、前記無線通信デバイスが前記トランスポートブロックを検出するが、正しくデコードしないことに従って、前記トランスポートブロックの否定応答を示し、前記無線通信デバイスが前記トランスポートブロックの検出に失敗することに従って、前記トランスポートブロックの否定応答を示し、
残りのフィードバックビットは、前記無線通信デバイスおよび前記無線通信ノードによって設定された所定のパターンを有する、請求項１６に記載の方法。
【請求項１９】
前記フィードバックビットの各々は、前記無線通信デバイスが前記トランスポートブロックを検出することに従って、前記それぞれのコードブロックグループのデコード結果に応じて、前記トランスポートブロックにおける前記コードブロックグループのうちのそれぞれのものの肯定応答または否定応答を示し、
前記フィードバックビットの各々は、前記無線通信デバイスが前記トランスポートブロックの検出に失敗することに従って、前記トランスポートブロックにおける前記コードブロックグループのうちのそれぞれのものの否定応答を示す、請求項１６に記載の方法。
【請求項２０】
前記複数のトランスポートブロックは、少なくとも１つのキャリアによって搬送され、
同じキャリアによって搬送されるトランスポートブロックは、同じ数のコードブロックグループを有し、
前記第１のダウンリンク制御情報によってスケジューリングされた第１のトランスポートブロックに対応するフィードバック信号は、前記第２のダウンリンク制御情報によってスケジューリングされ、前記第１のトランスポートブロックと同じキャリアによって搬送される第２のトランスポートブロックにおけるコードブロックグループの数と同じ数のフィードバックビットを含む、請求項１５に記載の方法。
【請求項２１】
前記第１のダウンリンク制御情報によってスケジューリングされた第１のトランスポートブロックに対応するフィードバック信号は、前記第２のダウンリンク制御情報によってスケジューリングされた第２のトランスポートブロックにおけるコードブロックグループの数と同じ数のフィードバックビットを含み、
前記数は、前記無線通信デバイスによって受信された最新の上層シグナリングによって構成される、請求項１５に記載の方法。
【請求項２２】
各トランスポートブロックに対応するフィードバック信号は、前記無線通信デバイスおよび前記無線通信ノードによって設定された同じ数かつ固定された数のビットを含む、請求項１３に記載の方法。
【請求項２３】
前記複数のフィードバック信号の各々は、異なる伝送リソースを使用して伝送される、請求項１３に記載の方法。
【請求項２４】
前記第１のフォーマットは、フォールバックモードダウンリンク制御情報を示し、
前記第１のダウンリンク制御情報によってスケジューリングされた各トランスポートブロックに対応するフィードバック信号は、前記無線通信デバイスが前記トランスポートブロックを検出し、正しくデコードすることに従って、前記トランスポートブロックの肯定応答を示す１ビットを含み、前記無線通信デバイスが前記トランスポートブロックを検出するが、正しくデコードしないことに従って、前記トランスポートブロックにおけるコードブロックグループの数と同じ数のフィードバックビットを含む、請求項２３に記載の方法。
【請求項２５】
第１のフィードバック信号が伝送リソースを使用して前記無線通信デバイスによって伝送されるように、前記第１のフィードバック信号に対応する前記複数のトランスポートブロックのうちの第１のトランスポートブロックをスケジューリングすることと、
前記複数のトランスポートブロックのうちの第２のトランスポートブロックに対応する第２のフィードバック信号が同じ伝送リソースを使用して前記第１のフィードバック信号と多重化されるべきであることに応答して、前記第１のトランスポートブロックと同じダウンリンク制御情報によって前記第２のトランスポートブロックをスケジューリングすることと、
前記第２のフィードバック信号が前記第１のフィードバック信号と多重化されるべきでないことに応答して、前記第１のトランスポートブロックと異なるダウンリンク制御情報によって前記第２のトランスポートブロックをスケジューリングすることと
をさらに含む、請求項１５に記載の方法。
【請求項２６】
請求項１−１２のいずれか１項に記載の方法を実行するように構成された無線通信デバイス。
【請求項２７】
請求項１３−２５のいずれか１項に記載の方法を実行するように構成された無線通信ノード。
【請求項２８】
請求項１−２５のいずれか１項に記載の方法を実行するためのコンピュータ実行可能命令を記憶している非一過性コンピュータ読み取り可能な媒体。
【発明の詳細な説明】
【技術分野】
【０００１】
本開示は、概して、無線通信に関し、より具体的には、無線通信におけるフィードバック信号のサイズを決定する方法、装置、およびシステムに関する。
【背景技術】
【０００２】
無線ネットワーキングシステムは、普及した手段となっており、世界中の人々の大多数が、それによって通信するようになってきている。典型的な無線通信ネットワーク（例えば、周波数、時間、および／またはコード分割技法を採用する）は、各々が地理的無線カバレッジを提供する１つ以上の基地局（典型的に、「ＢＳ」として公知である）と、無線カバレッジ内でデータを伝送および受信し得る１つ以上の無線ユーザ機器デバイス（典型的に、「ＵＥ」として公知である）とを含む。そのようなＢＳとＵＥとの間の通信は、チャネル変動および／または干渉、および電力変動に起因して価値を下げ得る。この点で、ＵＥは、典型的に、ＢＳにフィードバックされる「チャネル状態情報（ＣＳＩ）」として表されるチャネル条件を推定するために、所定のプロトコルを使用し、および／または、より上層の命令に従い、対応する基準信号を測定し得る。ＵＥからのＣＳＩ報告に従って、ＢＳは、チャネルおよびＵＥ能力のより深い知識を有することができる。
【０００３】
次世代の無線通信技術、例えば、第５世代（５Ｇ）新無線（ＮＲ）ネットワークにおいて、コードブロックグループ（ＣＢＧ）再伝送機構が、サポートされる。すなわち、ＵＥは、トランスポートブロックにおける各ＣＢＧに従ってフィードバックを実施することができ、ＢＳは、トランスポートブロック全体を再伝送することなく、正しくデコードされないＣＢＧを再伝送し、それは、再伝送されるデータの量を低減させることに役立つ。
【０００４】
加えて、ＮＲシステムにおいて、ＵＥがＣＢＧ再伝送機構で構成されると、ＢＳがフォールバックＤＣＩ（ダウンリンク制御情報）を使用することによってＵＥに関するトランスポートブロック（ＴＢ）をスケジューリングした後、ＴＢに対応するフィードバック信号が、ＵＥからの他のフィードバック信号と多重化されていない場合、ＵＥは、ＴＢレベルフィードバック信号を伝送するように要求される。しかし、それは、問題をもたらす。ＵＥがＣＢＧ再伝送機構で構成され、ＢＳがフォールバックＤＣＩを使用することによってＵＥに関するＴＢをスケジューリングし、ＴＢに対応するフィードバック信号がＵＥからの他のフィードバック信号と多重化されるべきである場合、ＵＥが、ＢＳを混乱させることなく、ＴＢに関するフィードバック信号を形成するためのいかなる既存の方法も存在しない。したがって、無線通信におけるフィードバック信号のサイズを決定するための既存のシステムおよび方法は、完全には満足の行くものではない。
【発明の概要】
【課題を解決するための手段】
【０００５】
本明細書に開示される例示的実施形態は、従来技術において提示される問題のうちの１つ以上のものに関連する問題を解決することのみならず、付随の図面と併せて検討されるとき、以下の詳細な説明を参照することによって容易に明白となるであろう追加の特徴を提供することも対象とする。種々の実施形態に従って、例示的システム、方法、デバイス、およびコンピュータプログラム製品が、本明細書に開示される。しかしながら、これらの実施形態は、限定ではなく、例として提示されることを理解されたく、開示される実施形態の種々の修正が、本開示の範囲内に留まりながら行われ得ることが、本開示を熟読する当業者に明白となるであろう。
【０００６】
一実施形態において、無線通信デバイスによって実施される方法が、開示される。方法は、無線通信ノードから第１のフォーマットを有する第１のダウンリンク制御情報および第２のフォーマットを有する第２のダウンリンク制御情報を受信することと、無線通信ノードから複数のトランスポートブロックを受信することと、複数のフィードバック信号を無線通信ノードに伝送することとを含む。複数のトランスポートブロックの各々は、第１のダウンリンク制御情報および第２のダウンリンク制御情報のうちの１つによってスケジューリングされる。複数のフィードバック信号の各々は、同じサイズを有し、複数のトランスポートブロックのうちのそれぞれのものに対応する。
【０００７】
さらなる実施形態において、無線通信ノードによって実施される方法が、開示される。方法は、第１のフォーマットを有する第１のダウンリンク制御情報および第２のフォーマットを有する第２のダウンリンク制御情報を無線通信デバイスに伝送することと、複数のトランスポートブロックを無線通信デバイスに伝送することと、無線通信デバイスから複数のフィードバック信号を受信することとを含む。複数のトランスポートブロックの各々は、第１のダウンリンク制御情報および第２のダウンリンク制御情報のうちの１つによってスケジューリングされる。複数のフィードバック信号の各々は、同じサイズを有し、複数のトランスポートブロックのうちのそれぞれのものに対応する。
【０００８】
異なる実施形態において、いくつかの実施形態において開示される方法を実行するように構成された無線通信デバイスが、開示される。
【０００９】
さらに別の実施形態において、いくつかの実施形態において開示される方法を実行するように構成された無線通信ノードが、開示される。
【００１０】
なおも別の実施形態において、いくつかの実施形態において開示される方法を実行するためのコンピュータ実行可能命令を記憶している非一過性コンピュータ読み取り可能な媒体が、開示される。
【図面の簡単な説明】
【００１１】
本開示の種々の例示的実施形態が、以下の図を参照して、下で詳細に説明される。図面は、図示のみを目的として提供され、単に、本開示の読者の理解を促進するために、本開示の例示的実施形態を描写する。したがって、図面は、本開示の範疇、範囲、または可用性の限定と見なされるべきではない。明確化および容易な図示のために、これらの図面は、必ずしも縮尺通りに描かれないことに留意されたい。
【００１２】
【図１】図１は、本開示のある実施形態による本明細書に開示される技法が実装され得る例示的通信ネットワークを図示する。
【００１３】
【図２】図２は、本開示のいくつかの実施形態によるユーザ機器（ＵＥ）のブロック図を図示する。
【００１４】
【図３】図３は、本開示のいくつかの実施形態による無線通信におけるフィードバック信号のサイズを決定するためにＵＥによって実施される方法に関するフローチャートを図示する。
【００１５】
【図４】図４は、本開示のいくつかの実施形態による基地局（ＢＳ）のブロック図を図示する。
【００１６】
【図５】図５は、本開示のいくつかの実施形態による無線通信におけるフィードバック信号のサイズを決定するためにＢＳによって実施される方法に関するフローチャートを図示する。
【００１７】
【図６】図６は、本開示のいくつかの実施形態によるトランスポートブロックに対応するフィードバック信号の例示的構造を図示する。
【００１８】
【図７】図７は、本開示のいくつかの実施形態によるトランスポートブロックに対応するフィードバック信号の別の例示的構造を図示する。
【００１９】
【図８】図８は、本開示のいくつかの実施形態によるトランスポートブロックに対応するフィードバック信号のさらに別の例示的構造を図示する。
【００２０】
【図９】図９は、本開示のいくつかの実施形態によるトランスポートブロックに対応するフィードバック信号の異なる例示的構造を図示する。
【発明を実施するための形態】
【００２１】
本開示の種々の例示的実施形態が、当業者が本開示を作製および使用することを可能にするために、付随の図を参照して、下で説明される。当業者に明白であろうように、本開示の熟読後、本明細書に説明される例の種々の変更または修正が、本開示の範囲から逸脱することなく行われることができる。したがって、本開示は、本明細書に説明および例証される例示的実施形態および用途に限定されない。加えて、本明細書に開示される方法におけるステップの具体的順序および／または階層は、単に、例示的アプローチである。設計選好に基づいて、開示される方法またはプロセスのステップの具体的順序もしくは階層は、本開示の範囲内に留まりながら再配列されることができる。したがって、当業者は、本明細書に開示される方法および技法が、サンプル順序における種々のステップまたは行為を提示し、本開示は、明確に別様に記載されない限り、提示される具体的順序または階層に限定されないことを理解するであろう。
【００２２】
次世代の無線通信技術、例えば、第５世代（５Ｇ）新無線（ＮＲ）ネットワークにおいて、データ再伝送効率を改良するために、コードブロックグループ（ＣＢＧ）再伝送機構が、導入される。すなわち、ＵＥがフィードバック信号、例えば、ハイブリッド自動再送要求肯定応答（ＨＡＲＱ−ＡＣＫ）を伝送するとき、それは、トランスポートブロック（ＴＢ）内の各ＣＢＧに従ってフィードバックを実施し得る。ＢＳは、ＴＢ全体を再伝送することなく、正しくデコードされないＣＢＧを再伝送し、それは、再伝送されるデータの量を低減させるために有益である。例えば、各ＣＢＧは、１ビットＨＡＲＱ−ＡＣＫ情報に対応する。一例において、ＴＢが分割され得るＣＢＧの最大数は、８であり、ＢＳは、特定の数の分割されたＣＢＧをＵＥに通知し得る。ＴＢが複数のＣＢＧに分割される場合、ＵＥは、複数のＣＢＧに関して別個にＨＡＲＱ−ＡＣＫをフィードバックすることができる。ＣＢＧに基づくそのようなＨＡＲＱ−ＡＣＫは、ＣＢＧ  ＨＡＲＱ−ＡＣＫと称され得る。ＴＢ  ＨＡＲＱ−ＡＣＫと称されるＴＢに基づくＨＡＲＱ−ＡＣＫと比較して、ＣＢＧ  ＨＡＲＱ−ＡＣＫは、ＴＢ  ＨＡＲＱ−ＡＣＫより多くのＨＡＲＱ−ＡＣＫビットをフィードバックする。
【００２３】
加えて、ＮＲシステムにおいて、ＵＥがＣＢＧ再伝送機構で構成されるとき、ＢＳがフォールバックＤＣＩを使用することによってＵＥに関するＴＢをスケジューリングした後、ＴＢに対応するフィードバック信号が、ＵＥからの他のフィードバック信号と多重化されていない場合、ＵＥは、ＴＢレベルフィードバック信号を伝送するように要求される。しかし、それは、ＴＢに対応するフィードバック信号が、ＵＥからの他のフィードバック信号と多重化されるべきである場合、問題をもたらす。この場合、ＢＳは、ＵＥがＤＣＩを正しく受信したかどうか分からないので、ＢＳは、ＵＥによってフィードバックされる多重化信号、例えば、ＨＡＲＱ−ＡＣＫの合計ビット数を正確に決定することができない。したがって、ＢＳは、ＨＡＲＱ−ＡＣＫを検出することができないか、または、検出は、複雑すぎる。
【００２４】
本開示は、（ａ）ＵＥがＣＢＧ再伝送機構で構成され、（ｂ）複数のＴＢがＵＥに関してスケジューリングされ、および、（ｃ）複数のＴＢに関するＨＡＲＱ−ＡＣＫがフィードバック中に多重化されることが要求される場合、フィードバック信号のサイズを決定する方法を提供する。ＴＢのいくつかまたは全てがフォールバックＤＣＩを使用してスケジューリングされるとき、ＵＥは、以下の様式においてこれらのＴＢに関するフィードバックビット数を決定し得る：ＴＢに対応するフィードバック信号におけるビット数は、ＴＢが各ＣＢＧに従ってフィードバックされるときのＨＡＲＱ−ＡＣＫビット数に等しい。
【００２５】
さらに、ＴＢ  ＨＡＲＱ−ＡＣＫは、ＴＢのために形成され、コーディング規則によって要求されるビット数に拡張される。本明細書における要求されるビット数は、ＴＢが各ＣＢＧに従ってフィードバックされるときのＨＡＲＱ−ＡＣＫビット数であり得る。さらに、コーディング規則による拡張は、以下を含み得る：ＵＥがＴＢのためのＴＢ  ＨＡＲＱ−ＡＣＫを形成し、要求されるビット数まで繰り返し様式で拡張すること；または、ＵＥがＴＢのためのＴＢ  ＨＡＲＱ−ＡＣＫを形成し、次いで、ＴＢ  ＨＡＲＱ−ＡＣＫを予備ビットで埋め、それを要求されるビット数に拡張すること。例えば、第１のビットは、ＴＢ  ＨＡＲＱ−ＡＣＫであり、次いで、ＴＢ  ＨＡＲＱ−ＡＣＫは、８ビットになるように７ビットで埋め直され、ＣＢＧ  ＨＡＲＱ−ＡＣＫフィードバックビット数は、８であると仮定される。
【００２６】
フォールバックＤＣＩが、複数のＴＢによって多重化されたフィードバック信号、例えば、ＨＡＲＱ−ＡＣＫをスケジューリングするために使用されるとき、開示される方法は、ＵＥがフォールバックＤＣＩの検出に失敗したときにＵＥがフィードバックしたＨＡＲＱ−ＡＣＫビット数についてのＢＳとＵＥとの間での一貫性のない理解を回避することができる。
【００２７】
本教示に開示される方法は、無線通信ネットワークにおいて実装されることができ、ＢＳおよびＵＥは、通信リンクを介して、例えば、ＢＳからＵＥへのダウンリンク無線フレームを介して、またはＵＥからＢＳへのアップリンク無線フレームを介して互いに通信することができる。種々の実施形態において、本開示におけるＢＳは、次世代Ｎｏｄｅ  Ｂ（ｇＮＢ）、Ｅ−ＵＴＲＡＮ  Ｎｏｄｅ  Ｂ（ｅＮＢ）、送受信ポイント（ＴＲＰ）、アクセスポイント（ＡＰ）等を含むか、または、それとして実装されることができる一方、本開示におけるＵＥは、移動局（ＭＳ）、無線局（ＳＴＡ）等を含むか、または、それとして実装されることができる。ＢＳおよびＵＥは、それぞれ、「無線通信ノード」および「無線通信デバイス」の非限定的例として本明細書に説明され得、ＢＳおよびＵＥは、本開示の種々の実施形態に従って、本明細書に開示される方法を実践することができ、無線および／または有線通信が可能であり得る。
【００２８】
図１は、本開示のある実施形態による本明細書に開示される技法が実装され得る例示的通信ネットワーク１００を図示する。図１に示されるように、例示的通信ネットワーク１００は、基地局（ＢＳ）１０１と、複数のＵＥであるＵＥ１  １１０、ＵＥ２  １２０・・・ＵＥ３  １３０とを含み、ＢＳ１０１は、いくつかの無線プロトコルに従ってＵＥと通信することができる。例えば、ダウンリンク伝送前、ＢＳ１０１は、ダウンリンク制御情報（ＤＣＩ）をＵＥ、例えば、ＵＥ１  １１０に伝送し、ＢＳ１０１からＵＥ１  １１０にトランスポートブロック（ＴＢ）が伝送されるようにスケジューリングする。ＣＢＧ再伝送がネットワークにおいてサポートされるとき、ＴＢは、複数のＣＢＧに分割される。
【００２９】
ＢＳ１０１がトランスポートブロックをＵＥ１  １１０に伝送した後、ＵＥ１  １１０は、トランスポートブロックに対応するフィードバック信号をＢＳ１０１に伝送することができる。フィードバック信号は、ＴＶレベルまたはＣＢＧレベルにおける肯定応答（ＡＣＫ）もしくは否定応答（ＮＡＣＫ）を示し得る。ＴＢ全体の否定応答がＢＳ１０１にフィードバックされる場合、ＢＳ１０１は、ＴＢをＵＥ１  １１０に再伝送し得る。ＣＢＧの否定応答がＢＳ１０１にフィードバックされる場合、そのＣＢＧをＵＥ１  １１０に再伝送し得、ＢＳ１０１は、ＴＢ内の他のＣＢＧがＵＥ１  １１０によって肯定応答されている場合、ＴＢ内の他のＣＢＧを再伝送しない。
【００３０】
ＢＳがＤＣＩを用いてＵＥに関するＴＢをスケジューリングするとき、ＤＣＩは、ＴＢに対応するフィードバック信号、例えば、ＨＡＲＱ−ＡＣＫを伝送するために使用されるべき伝送リソースについてＵＥに通知することができる。伝送リソース情報は、フィードバックのために使用されるべきスロットに関する識別、スロットにおける物理アップリンク制御チャネル（ＰＵＣＣＨ）リソース（例えば、周波数リソース、コードリソース等）を含み得る。異なるＴＢに対応するフィードバック信号は、同じ伝送リソースを使用して多重化されるか、または、異なる（または別個の）伝送リソースを使用して別個に伝送され得る。例えば、ＢＳは、ＵＥに関してスロットｎにおいてＴＢ１をスケジューリングし、ＴＢ１に対応するフィードバック信号がＰＵＣＣＨリソース１を使用してスロットｎ＋８において伝送されるべきであることをＵＥに通知し、次いで、ＵＥに関してスロットｎ＋１においてＴＢ２をスケジューリングし、ＴＢ２に対応するフィードバック信号もＰＵＣＣＨリソース１を使用してスロットｎ＋８において伝送されるべきであることをＵＥに通知し得る。したがって、ＢＳは、ＴＢ１およびＴＢ２に対応するフィードバック信号が同じ伝送リソースを使用して多重化されることをＵＥに要求する。
【００３１】
ＴＢをスケジューリングするために使用されるＤＣＩは、異なるフォーマット、例えば、フォールバックモードＤＣＩまたは非フォールバックモードＤＣＩを有し得る。フォールバックモードＤＣＩがＴＢをスケジューリングするために使用されるとき、ＴＢに対応するフィードバック信号は、それが他のフィードバック信号と多重化されることが要求されない場合、ＴＢレベルにあるであろう。非フォールバックモードＤＣＩが、ＴＢをスケジューリングするために使用されるとき、ＴＢに対応するフィードバック信号は、それが他のフィードバック信号と多重化されることが要求されない場合、ＣＢＧレベルにあるであろう。本開示の種々の実施形態によると、フィードバック信号が他のフィードバック信号と多重化されることが要求され、フォールバックモードＤＣＩがＴＢをスケジューリングするために使用される場合、ＵＥは、ＴＢに関するフィードバックビット数が、ＴＢがＣＢＧレベルにおいてフィードバックされるときのフィードバックビット数に等しく、このフィードバック信号と多重化され、非フォールバックＤＣＩによってスケジューリングされたＴＢに対応するフィードバック信号におけるフィードバックビット数と同一であると決定し得る。
【００３２】
図２は、本開示のいくつかの実施形態によるユーザ機器（ＵＥ）２００のブロック図を図示する。ＵＥ２００は、本明細書に説明される種々の方法を実装するように構成され得るデバイスの例である。図２に示されるように、ＵＥ２００は、システムクロック２０２と、プロセッサ２０４と、メモリ２０６と、送信機２１２および受信機２１４を備える送受信機２１０と、電力モジュール２０８と、制御情報分析器２２０と、トランスポートブロック分析器２２２と、フィードバック信号サイズ決定器２２４と、フィードバック信号発生器２２６とを含む筐体２４０を含む。
【００３３】
本実施形態において、システムクロック２０２は、ＵＥ２００の全ての動作のタイミングを制御するために、タイミング信号をプロセッサ２０４に提供する。プロセッサ２０４は、ＵＥ２００の一般的動作を制御し、中央処理ユニット（ＣＰＵ）および／または汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、状態マシン、ゲーテッド論理、別々のハードウェアコンポーネント、専用ハードウェア有限状態マシン、またはデータの計算もしくは他の操作を実施し得る任意の他の好適な回路、デバイス、および／または構造の任意の組み合わせ等の１つ以上の処理回路またはモジュールを含むことができる。
【００３４】
読み取り専用メモリ（ＲＯＭ）およびランダムアクセスメモリ（ＲＡＭ）の両方を含み得るメモリ２０６は、命令およびデータをプロセッサ２０４に提供することができる。メモリ２０６の一部は、不揮発性ランダムアクセスメモリ（ＮＶＲＡＭ）も含むことができる。プロセッサ２０４は、典型的に、メモリ２０６内に記憶されるプログラム命令に基づいて、論理および算術演算を実施する。メモリ２０６内に記憶される命令（ソフトウェアとしても公知である）は、本明細書に説明される方法を実施するようにプロセッサ２０４によって実行されることができる。プロセッサ２０４およびメモリ２０６は、ソフトウェアを記憶および実行する処理システムを一緒に形成する。本明細書に使用されるように、「ソフトウェア」は、ソフトウェア、ファームウェア、ミドルウェア、マイクロコード等と称されるかどうかにかかわらず、１つ以上の所望の機能またはプロセスを実施するように機械またはデバイスを構成し得る任意のタイプの命令を意味する。命令は、コード（例えば、ソードコードフォーマット、バイナリコードフォーマット、実行可能コードフォーマット、またはコードの任意の他の好適なフォーマットにおける）を含むことができる。命令は、１つ以上のプロセッサによって実行されると、処理システムに本明細書に説明される種々の機能を実施させる。
【００３５】
送信機２１２および受信機２１４を含む送受信機２１０は、ＵＥ２００が、遠隔デバイス（例えば、ＢＳまたは別のＵＥ）に、およびそれからデータを伝送および受信することを可能にする。アンテナ２５０が、典型的に、筐体２４０に取り付けられ、送受信機２１０に電気的に結合される。種々の実施形態において、ＵＥ２００は、（図示せず）複数の送信機と、複数の受信機と、複数の送受信機とを含む。一実施形態において、アンテナ２５０は、それらの各々が異なる方向に向く複数のビームを形成し得るマルチアンテナアレイ２５０と置換される。送信機２１２は、異なるパケットタイプまたは機能を有するパケットを無線で伝送するように構成されることができ、そのようなパケットは、プロセッサ２０４によって発生させられる。同様に、受信機２１４は、異なるパケットタイプまたは機能を有するパケットを受信するように構成され、プロセッサ２０４は、複数の異なるパケットタイプのパケットを処理するように構成される。例えば、プロセッサ２０４は、パケットのタイプを決定し、それに応じて、パケットおよび／またはパケットのフィールドを処理するように構成されることができる。
【００３６】
無線通信において、ＵＥ２００は、ＢＳから制御情報を受信し得る。制御情報は、異なるフォーマットを伴うＤＣＩであり得る。例えば、制御情報分析器２２０は、受信機２１４を介して、ＢＳから第１のフォーマットを有する第１のＤＣＩおよび第２のフォーマットを有する第２のＤＣＩを受信し、ＤＣＩを分析し得る。ＤＣＩは、ＢＳからＵＥ２００に複数のＴＢが伝送されるようにスケジューリングするために使用され得る。分析に基づいて、制御情報分析器２２０は、複数のＴＢに対応するフィードバック信号が、同じ伝送リソースを使用して多重化されるべきか、または、異なる伝送リソースを使用して別個に伝送されるべきかを決定することができる。一例において、第１のフォーマットは、フォールバックモードＤＣＩを示し、第１のフォーマットによってスケジューリングされたトランスポートブロックは、他のトランスポートブロックと多重化されていないとき、第１のサイズを有するフィードバックをトリガするように要求され；第２のフォーマットは、非フォールバックモードＤＣＩを示し、第２のフォーマットによってスケジューリングされたトランスポートブロックは、他のトランスポートブロックと多重化されていないとき、第２のサイズを有するフィードバックをトリガするように要求される。第２のサイズは、第１のサイズと異なる。制御情報分析器２２０は、分析されたＤＣＩをフィードバック信号のサイズを決定するためのフィードバック信号サイズ決定器２２４に、および、フィードバック信号を発生させるためのフィードバック信号発生器２２６に送信し得る。
【００３７】
この例におけるトランスポートブロック分析器２２２は、受信機２１４を介して、ＢＳから複数のトランスポートブロックを受信する。複数のトランスポートブロックの各々は、第１のＤＣＩおよび第２のＤＣＩのうちの１つによってスケジューリングされている。トランスポートブロック分析器２２２は、例えば、ＢＳからダウンリンクデータを取得するためにそれらの各々を検出およびデコードすることによって、受信されたトランスポートブロックを分析し得る。トランスポートブロック分析器２２２におけるトランスポートブロックの検出および／またはデコード結果は、フィードバック信号のサイズを決定するためのフィードバック信号サイズ決定器２２４に、およびトランスポートブロックに対応するフィードバック信号を発生させるためのフィードバック信号発生器２２６に送信され得る。
【００３８】
この例におけるフィードバック信号サイズ決定器２２４は、制御情報分析器２２０から分析されたＤＣＩを受信し、トランスポートブロック分析器２２２からトランスポートブロックの検出および／またはデコード結果を受信することができる。フィードバック信号サイズ決定器２２４は、トランスポートブロックをスケジューリングする分析されたＤＣＩおよび／またはトランスポートブロックの検出およびデコード結果に基づいて、トランスポートブロックの各々に対応するフィードバック信号のサイズを決定する。一例において、非フォールバックＤＣＩによってスケジューリングされた各トランスポートブロックは、同じ数のコードブロックグループを含み；フィードバック信号サイズ決定器２２４は、フォールバックＤＣＩによってスケジューリングされた各トランスポートブロックに対応するフィードバック信号が、フィードバック信号が非フォールバックＤＣＩによってスケジューリングされたトランスポートブロックに対応する別のフィードバック信号と多重化されたときのコードブロックグループの数と同じ数のフィードバックビットを含むと決定する。
【００３９】
一実施形態において、複数のトランスポートブロックは、少なくとも１つのキャリアによって搬送され、同じキャリアによって搬送されるトランスポートブロックは、同じ数のコードブロックグループを有する。次いで、フィードバック信号サイズ決定器２２４は、フォールバックＤＣＩによってスケジューリングされた第１のトランスポートブロックに対応するフィードバック信号が、非フォールバックＤＣＩによってスケジューリングされ、第１のトランスポートブロックと同じキャリアによって搬送される第２のトランスポートブロックにおけるコードブロックグループの数と同じ数のフィードバックビットを含むと決定することができる。
【００４０】
別の実施形態において、フィードバック信号サイズ決定器２２４は、フォールバックＤＣＩによってスケジューリングされた第１のトランスポートブロックに対応するフィードバック信号が、第２のダウンリンク制御情報によってスケジューリングされた第２のトランスポートブロックにおけるコードブロックグループの数と同じ数のフィードバックビットを含むと決定することができ；数は、最新の上層信号、例えば、無線リソース制御（ＲＲＣ）信号によって構成され、ＵＥ２００によって正しく受信される。
【００４１】
さらに別の実施形態において、フィードバック信号サイズ決定器２２４は、各トランスポートブロックに対応するフィードバック信号が、ＵＥ２００およびＢＳによって設定された同一かつ固定されたビット数を含むと決定することができ、数は、上層信号のキャリア情報または構成情報にかかわらず固定される。
【００４２】
この例におけるフィードバック信号発生器２２６は、制御情報分析器２２０から分析されたＤＣＩを受信し、トランスポートブロック分析器２２２からトランスポートブロックの検出および／またはデコード結果を受信し、フィードバック信号サイズ決定器２２４からフィードバック信号サイズを受信し得る。情報に基づいて、フィードバック信号発生器２２６は、それらの各々が複数のトランスポートブロックのうちのそれぞれのものに対応する複数のフィードバック信号を発生させ、送信機２１２を介して、複数のフィードバック信号をＢＳに伝送することができる。一例において、フィードバック信号は、トランスポートブロックをスケジューリングするＤＣＩのフォーマットにかかわらず、同じサイズを有する。フォールバックＤＣＩによってスケジューリングされた各トランスポートブロックに関して、トランスポートブロックに関してフィードバック信号発生器２２６によって発生させられるフィードバック信号は、種々の実施形態によるトランスポートブロック分析器２２２からのトランスポートブロックの検出および／またはデコード結果と、フィードバック信号サイズ決定器２２４からのフィードバック信号サイズとに基づく構造を有し得る。
【００４３】
一実施形態において、フィードバックビットの各々は、トランスポートブロック分析器２２２がトランスポートブロックを検出し、正しくデコードしたとき、トランスポートブロックの肯定応答を示す。図６は、本実施形態によるトランスポートブロックに対応するフィードバック信号の例示的構造を図示する。図６に示されるように、フィードバック信号の第１のビット６１０が、１であり、ＴＢレベルにおける肯定応答を示す一方、残りのビット６２０、６３０、６４０は、第１のビット６１０を繰り返すことによって埋められる。
【００４４】
一実施形態において、フィードバックビットの各々は、トランスポートブロック分析器２２２がトランスポートブロックを検出するが、正しくデコードしないとき、または、トランスポートブロック分析器２２２がトランスポートブロックの検出に失敗すると、トランスポートブロックの否定応答を示す。トランスポートブロック分析器２２２がトランスポートブロックの検出に失敗すると、ＵＥ２００は、機構、例えば、ダウンリンク割り当てインデックス（ＤＡＩ）機構を使用し、見逃されたトランスポートブロックおよび複数のトランスポートブロックにおける見逃されたトランスポートブロックの場所を識別し得る。図７は、本実施形態によるトランスポートブロックに対応するフィードバック信号の例示的構造を図示する。図７に示されるように、トランスポートブロックの検出エラーまたは検出失敗が存在するとき、フィードバック信号の第１のビット７１０は、０であり、ＴＢレベルにおける否定応答を示す一方、残りのビット７２０、７３０、７４０は、第１のビット７１０を繰り返すことによって埋められる。
【００４５】
別の実施形態において、フィードバックビットのうちの１つは、トランスポートブロック分析器２２２がトランスポートブロックを検出し、正しくデコードしたとき、トランスポートブロックの肯定応答を示し、トランスポートブロック分析器２２２がトランスポートブロックを検出するが、正しくデコードしないとき、トランスポートブロックの否定応答を示し、トランスポートブロック分析器２２２がトランスポートブロックの検出に失敗すると、トランスポートブロックの否定応答を示し、残りのフィードバックビットは、ＵＥ２００およびＢＳによって設定された所定のパターンを有する。図８は、本実施形態によるトランスポートブロックに対応するフィードバック信号の例示的構造を図示する。図８に示されるように、フィードバック信号の第１のビット８１０は、検出およびデコード結果に応じて、ＴＢレベルにおける肯定応答または否定応答を示す１または０であり得る一方、残りのビット８２０、８３０、８４０、８５０、８６０は、所定のビットパターンによって埋められる。この例において、所定のビットパターンは、第２のビット８２０および最後のビット８６０における１と、他のビット８３０、８４０、８５０における０とを含む。
【００４６】
さらに別の実施形態において、フィードバックビットの各々は、トランスポートブロック分析器２２２がトランスポートブロックを検出すると、それぞれのＣＢＧのデコード結果に応じて、トランスポートブロックにおけるコードブロックグループ（ＣＢＧ）のうちのそれぞれのものの肯定応答または否定応答を示し、フィードバックビットの各々は、トランスポートブロック分析器２２２がトランスポートブロックの検出に失敗すると、トランスポートブロックにおけるＣＢＧのうちのそれぞれのものの否定応答を示す。図９は、本実施形態によるトランスポートブロックに対応するフィードバック信号の例示的構造を図示する。図９に示されるように、フィードバック信号の各ビット９１０、９２０、９３０、９４０は、それぞれのＣＢＧの検出およびデコード結果に応じて、それぞれのＣＢＧのＣＢＧレベルにおける肯定応答または否定応答を示す１または０であり得る。
【００４７】
なおも別の実施形態において、複数のフィードバック信号の各々は、異なる伝送リソースを使用して伝送される。すなわち、フィードバック信号は、多重化されない。この場合、フォールバックＤＣＩによってスケジューリングされた各トランスポートブロックに対応するフィードバック信号は、トランスポートブロック分析器２２２がトランスポートブロックを検出し、正しくデコードしたとき、トランスポートブロックの肯定応答を示す単一のフィードバックビットを含み、トランスポートブロック分析器２２２がトランスポートブロックを検出するが、正しくデコードしないとき、トランスポートブロックにおけるコードブロックグループの数と同じ数のフィードバックビットを含む。
【００４８】
電力モジュール２０８は、１つ以上のバッテリ等の電源と、電力調整器とを含み、調整された電力を図２の上で説明されるモジュールの各々に提供することができる。いくつかの実施形態において、ＵＥ２００が、専用外部電源（例えば、壁電気コンセント）に結合される場合、電力モジュール２０８は、変圧器と、電力調整器とを含むことができる。
【００４９】
上で議論される種々のモジュールは、バスシステム２３０によって一緒に結合される。バスシステム２３０は、データバス、および、例えば、データバスに加えて、電力バス、制御信号バス、および／またはステータス信号バスを含むことができる。ＵＥ２００のモジュールは、任意の好適な技法および媒体を使用して互いに動作可能に結合され得ることを理解されたい。
【００５０】
いくつかの別個のモジュールまたはコンポーネントが、図２に図示されるが、当業者は、モジュールのうちの１つ以上のものが、組み合わせられ得ること、または一般的に実装され得ることを理解するであろう。例えば、プロセッサ２０４は、プロセッサ２０４に関して上で説明される機能性のみを実装するのではなく、トランスポートブロック分析器２２２に関して上で説明される機能性も実装することができる。逆に、図２に図示されるモジュールの各々は、複数の別個のコンポーネントまたは要素を使用して実装されることができる。
【００５１】
図３は、本開示のいくつかの実施形態による無線通信におけるフィードバック信号のサイズを決定するために、ＵＥ、例えば、図２のＵＥ２００によって実施される方法３００に関するフローチャートを図示する。動作３０２において、ＵＥは、ＢＳから第１のフォーマットを有する第１のダウンリンク制御情報および第２のフォーマットを有する第２のダウンリンク制御情報を受信する。動作３０４において、ＵＥは、ＢＳから複数のトランスポートブロックを受信し、分析する。ＵＥは、動作３０６において、複数のトランスポートブロックのうちのそれぞれのものに対応する各フィードバック信号のためのサイズを決定する。ＵＥは、動作３０８において、同じサイズを有し、複数のトランスポートブロックに対応する複数のフィードバック信号を発生させる。動作３１０において、ＵＥは、複数のフィードバック信号をＢＳに伝送する。
【００５２】
図４は、本開示のいくつかの実施形態によるＢＳ４００のブロック図を図示する。ＢＳ４００は、本明細書に説明される種々の方法を実装するように構成され得るデバイスの例である。図４に示されるように、ＢＳ４００は、システムクロック４０２と、プロセッサ４０４と、メモリ４０６と、送信機４１２および受信機４１４を備える送受信機４１０と、電力モジュール４０８と、制御情報発生器４２０と、トランスポートブロック発生器４２２と、フィードバック信号サイズ識別器４２４と、フィードバック信号分析器４２６とを含む筐体４４０を含む。
【００５３】
本実施形態において、システムクロック４０２、プロセッサ４０４、メモリ４０６、送受信機４１０、および電力モジュール４０８は、ＵＥ２００におけるシステムクロック２０２、プロセッサ２０４、メモリ２０６、送受信機２１０、および電力モジュール２０８と同様に機能する。アンテナ４５０またはマルチアンテナアレイ４５０が、典型的に、筐体４４０に取り付けられ、送受信機４１０に電気的に結合される。
【００５４】
制御情報発生器４２０は、第１のフォーマットを有する第１のＤＣＩおよび第２のフォーマットを有する第２のＤＣＩを発生させ、送信機４１２を介して、ＵＥ、例えば、ＵＥ２００に伝送し得る。ＤＣＩは、ＢＳ４００からＵＥ２００に複数のＴＢが伝送されるようにスケジューリングするために使用され得る。ＤＣＩは、複数のＴＢに対応するフィードバック信号が、同じ伝送リソースを使用して多重化されるべきか、または異なる伝送リソースを使用して別個に伝送されるべきかを示すことができる。一例において、第１のフォーマットは、フォールバックモードＤＣＩを示し；第１のフォーマットによってスケジューリングされたトランスポートブロックは、他のトランスポートブロックと多重化されていないとき、第１のサイズを有するフィードバックをトリガするように要求され、第２のフォーマットは、非フォールバックモードＤＣＩを示し、第２のフォーマットによってスケジューリングされたトランスポートブロックは、他のトランスポートブロックと多重化されていないとき、第２のサイズを有するフィードバックをトリガするように要求される。第２のサイズは、第１のサイズと異なる。
【００５５】
一実施形態において、制御情報発生器４２０は、伝送リソースを使用してＵＥによって伝送されるべき第１のフィードバック信号に対応する複数のトランスポートブロックのうちの第１のトランスポートブロックをスケジューリングする。次いで、制御情報発生器４２０は、複数のトランスポートブロックのうちの第２のトランスポートブロックをスケジューリングするためのＤＣＩを決定する。第２のトランスポートブロックに対応する第２のフィードバック信号が、同じ伝送リソースを使用して第１のフィードバック信号と多重化されるべきである場合、制御情報発生器４２０は、第１のトランスポートブロックと同じＤＣＩによって第２のトランスポートブロックをスケジューリングする。第２のフィードバック信号が、第１のフィードバック信号と多重化されるべきではない場合、制御情報発生器４２０は、第１のトランスポートブロックと異なるＤＣＩによって第２のトランスポートブロックをスケジューリングする。制御情報発生器４２０は、発生させられたＤＣＩをトランスポートブロックを発生させるためのトランスポートブロック発生器４２２に、およびフィードバック信号サイズを識別するためのフィードバック信号サイズ識別器４２４に送信し得る。
【００５６】
この例におけるトランスポートブロック発生器４２２は、制御情報発生器４２０から発生させられたＤＣＩを受信し、それらの各々が第１のＤＣＩおよび第２のＤＣＩのうちの１つによってスケジューリングされた複数のトランスポートブロックを発生させる。トランスポートブロック発生器４２２は、送信機４１２を介して、複数のトランスポートブロックをＵＥ２００に伝送し得る。トランスポートブロック発生器４２２は、伝送されたトランスポートブロックについての情報をフィードバック信号サイズを識別するためのフィードバック信号サイズ識別器４２４に、および伝送されたトランスポートブロックに対応するフィードバック信号を分析するためのフィードバック信号分析器４２６に送信し得る。
【００５７】
この例におけるフィードバック信号サイズ識別器４２４は、制御情報発生器４２０から発生させられたＤＣＩを受信し、トランスポートブロック発生器４２２から伝送されたトランスポートブロックについての情報を受信することができる。フィードバック信号サイズ識別器４２４は、トランスポートブロックをスケジューリングする発生させられたＤＣＩおよび／またはトランスポートブロックの情報に基づいて、トランスポートブロックの各々に対応するＵＥから受信されるべきフィードバック信号のサイズを決定する。一例において、非フォールバックＤＣＩによってスケジューリングされた各トランスポートブロックは、同じ数のコードブロックグループを含み、フィードバック信号サイズ識別器４２４は、フォールバックＤＣＩによってスケジューリングされた各トランスポートブロックに対応するフィードバック信号が、フィードバック信号が非フォールバックＤＣＩによってスケジューリングされたトランスポートブロックに対応する別のフィードバック信号と多重化されるときのコードブロックグループの数と同じ数のフィードバックビットを含むであろうと決定する。
【００５８】
種々の実施形態において、フィードバック信号サイズ識別器４２４は、ＵＥ２００におけるフィードバック信号サイズ決定器２２４と同じ様式でフィードバック信号のサイズを決定し得る。一実施形態において、複数のトランスポートブロックは、少なくとも１つのキャリアによって搬送され；同じキャリアによって搬送されるトランスポートブロックは、同じ数のコードブロックグループを有する。次いで、フィードバック信号サイズ識別器４２４は、フォールバックＤＣＩによってスケジューリングされた第１のトランスポートブロックに対応するフィードバック信号が、非フォールバックＤＣＩによってスケジューリングされ、第１のトランスポートブロックと同じキャリアによって搬送される第２のトランスポートブロックにおけるコードブロックグループの数と同じ数のフィードバックビットを含むと決定することができる。別の実施形態において、フィードバック信号サイズ識別器４２４は、フォールバックＤＣＩによってスケジューリングされた第１のトランスポートブロックに対応するフィードバック信号が、第２のダウンリンク制御情報によってスケジューリングされた第２のトランスポートブロックにおけるコードブロックグループの数と同じ数のフィードバックビットを含むと決定することができ：数は、最新の上層信号、例えば、無線リソース制御（ＲＲＣ）信号によって構成され、ＲＲＣ信号の肯定応答をフィードバックしたＵＥ２００によって正しく受信される。さらに別の実施形態において、フィードバック信号サイズ識別器４２４は、各トランスポートブロックに対応するフィードバック信号が、ＵＥ２００およびＢＳ４００によって設定された同一かつ固定されたビット数を含むと決定することができ、数は、上層信号のキャリア情報または構成情報にかかわらず固定される。
【００５９】
上で議論されるように、ＵＥがトランスポートブロックを受信およびデコードした後、ＵＥは、各トランスポートブロックに対応するフィードバック信号を発生させ、ＢＳに伝送する。ここにおいて、フィードバック信号サイズ識別器４２４が、受信機４１４を介して、ＵＥ２００から複数のトランスポートブロックに対応する複数のフィードバック信号を受信した後、フィードバック信号サイズ識別器４２４は、上で議論されるそのフィードバック信号サイズ決定に基づいて、各フィードバック信号のためのサイズを識別することができる。フィードバック信号サイズ識別器４２４は、受信されたフィードバック信号に関する識別されたサイズをフィードバック信号を分析するためのフィードバック信号分析器４２６に送信することができる。
【００６０】
この例におけるフィードバック信号分析器４２６は、受信機４１４を介して、ＵＥ２００から複数のトランスポートブロックに対応する複数のフィードバック信号を受信し、フィードバック信号サイズ識別器４２４からの識別されたサイズに基づいて、それらを分析し得る。一例において、フィードバック信号は、トランスポートブロックをスケジューリングするＤＣＩのフォーマットにかかわらず、同じサイズを有する。フォールバックＤＣＩによってスケジューリングされた各トランスポートブロックに関して、トランスポートブロックに関してフィードバック信号分析器４２６によって分析されるフィードバック信号は、種々の実施形態によるトランスポートブロックの検出および／またはデコード結果、ならびに識別されたサイズに基づく構造を有し得る。
【００６１】
一実施形態において、フィードバックビットの各々は、ＵＥがトランスポートブロックを検出し、正しくデコードしたとき、トランスポートブロックの肯定応答を示す。図６は、本実施形態によるトランスポートブロックに対応するフィードバック信号の例示的構造を図示する。
【００６２】
一実施形態において、フィードバックビットの各々は、ＵＥがトランスポートブロックを検出するが、正しくデコードしないとき、またはＵＥがトランスポートブロックの検出に失敗すると、トランスポートブロックの否定応答を示す。ＵＥがトランスポートブロックの検出に失敗すると、ＵＥは、機構、例えば、ダウンリンク割り当てインデックス（ＤＡＩ）機構を使用し、見逃されたトランスポートブロックおよび複数のトランスポートブロックにおける見逃されたトランスポートブロックの場所を識別し得る。図７は、本実施形態によるトランスポートブロックに対応するフィードバック信号の例示的構造を図示する。
【００６３】
別の実施形態において、フィードバックビットのうちの１つは、ＵＥがトランスポートブロックを検出し、正しくデコードしたとき、トランスポートブロックの肯定応答を示し、ＵＥがトランスポートブロックを検出するが、正しくデコードしないとき、トランスポートブロックの否定応答を示し、ＵＥがトランスポートブロックの検出に失敗すると、トランスポートブロックの否定応答を示し、残りのフィードバックビットは、ＵＥ２００およびＢＳ４００によって設定された所定のパターンを有する。図８は、本実施形態によるトランスポートブロックに対応するフィードバック信号の例示的構造を図示する。
【００６４】
さらに別の実施形態において、フィードバックビットの各々は、ＵＥがトランスポートブロックを検出すると、それぞれのＣＢＧのデコード結果に応じて、トランスポートブロックにおけるコードブロックグループ（ＣＢＧ）のうちのそれぞれのものの肯定応答または否定応答を示し、フィードバックビットの各々は、ＵＥがトランスポートブロックの検出に失敗すると、トランスポートブロックにおけるＣＢＧのうちのそれぞれのものの否定応答を示す。図９は、本実施形態によるトランスポートブロックに対応するフィードバック信号の例示的構造を図示する。
【００６５】
なおも別の実施形態において、複数のフィードバック信号の各々は、異なる伝送リソースを使用して伝送される。すなわち、フィードバック信号は、多重化されない。この場合、フォールバックＤＣＩによってスケジューリングされた各トランスポートブロックに対応するフィードバック信号は、ＵＥがトランスポートブロックを検出し、正しくデコードしたとき、トランスポートブロックの肯定応答を示す単一のフィードバックビットを含み、ＵＥがトランスポートブロックを検出するが、正しくデコードしないとき、トランスポートブロックにおけるコードブロックグループの数と同じ数のフィードバックビットを含む。トランスポートブロックに対応するフィードバック信号を分析した後、ＢＳ４００は、トランスポートブロックにおけるＣＢＧまたはトランスポートブロック全体をＵＥ２００に再伝送し得る。
【００６６】
上で議論される種々のモジュールは、バスシステム４３０によって一緒に結合される。バスシステム４３０は、データバス、ならびに、例えば、データバスに加えて、電力バス、制御信号バス、および／またはステータス信号バスを含むことができる。ＢＳ４００のモジュールは、任意の好適な技法および媒体を使用して互いに動作可能に結合され得ることを理解されたい。
【００６７】
いくつかの別個のモジュールまたはコンポーネントが、図４に図示されるが、当業者は、モジュールのうちの１つ以上のものが、組み合わせられ得ること、または一般的に実装され得ることを理解するであろう。例えば、プロセッサ４０４は、プロセッサ４０４に関して上で説明される機能性のみを実装するのではなく、フィードバック信号サイズ識別器４２４に関して上で説明される機能性も実装することができる。逆に、図４に図示されるモジュールの各々は、複数の別個のコンポーネントまたは要素を使用して実装されることができる。
【００６８】
図５は、本開示のいくつかの実施形態による無線通信におけるフィードバック信号のサイズを決定するために、ＢＳ、例えば、図４のＢＳ４００によって実施される方法５００に関するフローチャートを図示する。動作５０２において、ＢＳは、第１のフォーマットを有する第１のダウンリンク制御情報および第２のフォーマットを有する第２のダウンリンク制御情報をＵＥに伝送する。動作５０４において、ＢＳは、各々が第１および第２のダウンリンク制御情報のうちの１つによってスケジューリングされる、複数のトランスポートブロックを発生させる。ＢＳは、動作５０６において、複数のトランスポートブロックをＵＥに伝送する。ＢＳは、動作５０８において、ＵＥから複数のトランスポートブロックに対応する複数のフィードバック信号を受信する。ＢＳは、動作５１０において、各フィードバック信号のためのサイズを識別する。動作５１２において、ＢＳは、識別されたサイズに基づいて、各フィードバック信号を分析する。
【００６９】
本開示の異なる実施形態が、ここで、それ以降で詳細に説明されるであろう。本開示における実施形態および例の特徴は、矛盾することなく任意の様式で互いに組み合わせられ得ることに留意されたい。
【００７０】
ＮＲシステムにおいて、ＵＥがＣＢＧ再伝送機構で構成されるとき、ＢＳがフォールバックＤＣＩを使用することによってＵＥに関するＴＢをスケジューリングした後、ＴＢに対応するフィードバック信号がＵＥからの他のフィードバック信号と多重化されていない場合、ＵＥは、ＴＢレベルフィードバック信号を伝送するように要求される。しかし、それは、ＴＢに対応するフィードバック信号が、ＵＥからの他のフィードバック信号と多重化されるべきである場合、問題をもたらす。
【００７１】
下記は、問題の原因を分析するために記載される例である。ＵＥ１が、ＣＢＧ再伝送機構で構成され、ＢＳは、フォールバックＤＣＩを使用してＵＥ１に関するスロットｎにいてＴＢ１をスケジューリングし、次いで、ＢＳは、非フォールバックＤＣＩを使用してＵＥ１に関してスロットｎ＋１においてＴＢ２をスケジューリングし、ＵＥ１は、スロットｎ＋２においてＴＢ１およびＴＢ２のＨＡＲＱ−ＡＣＫをフィードバックするように要求され、２つのＴＢに関するＨＡＲＱ−ＡＣＫが、多重化されると仮定する。さらに、ＴＢにおけるＣＢＧの構成数は、８であると仮定する。すなわち、１つのＴＢは、８つのＣＢＧに分割され、１ビットが、各ＣＢＧのためにフィードバックされる。下で示されるように、ＵＥ側でいくつかの可能な状況が存在する。
【００７２】
第１の状況において、ＵＥが、２つのＴＢのＤＣＩを正しく検出したと仮定する。ここでは４つの事例が存在する：ＵＥが２つのＴＢを正しくデコードした場合、ＨＡＲＱ−ＡＣＫは、合計９ビットの１＋１１１１１１１１としてＵＥによって形成される；ＵＥがＴＢ１を正しくデコードし、ＴＢ２における第２のＣＢＧが正しくデコードされず、ＴＢ２における全ての他のＣＢＧが正しくデコードされた場合、ＨＡＲＱ−ＡＣＫは、合計９ビットの１＋１０１１１１１１としてＵＥによって形成される；ＵＥがＴＢ２を正しくデコードし、ＴＢ１における第２のＣＢＧが正しくデコードされず、ＴＢ１における全ての他のＣＢＧが正しくデコードされた場合、ＨＡＲＱ−ＡＣＫは、合計９ビットの０＋１１１１１１１１としてＵＥによって形成される；ＵＥがＴＢ１を正しくデコードせず、ＴＢ２における第２のＣＢＧが正しくデコードされず、全ての他のＣＢＧが正しくデコードされた場合、ＨＡＲＱ−ＡＣＫは、合計９ビットの０＋１０１１１１１１としてＵＥによって形成される。
【００７３】
第２の状況において、ＵＥが、ＴＢのうちの１つのＤＣＩを検出しないと仮定する。複数のＴＢのうちの一続きのＴＢの不検出およびＴＢのＤＣＩフォーマットに起因して、いくつかの不確実性がこの状況に存在する。ＵＥは、検出されていないＴＢのＤＣＩフォーマットがフォールバックＤＣＩであるか、非フォールバックＤＣＩであるかを把握しないので、ＵＥは、このＴＢに関してＴＢ  ＨＡＲＱ−ＡＣＫを形成するか、ＣＢＧ  ＨＡＲＱ−ＡＣＫを形成するか不明確である。この場合、基地局およびＵＥは、前もって規則について合意すべきであり、ＵＥは、基地局によるデコードを促進するために、合意された規則に従って対応するＨＡＲＱ−ＡＣＫを形成する。そうでなければ、基地局は、ＵＥによってフィードバックされるＨＡＲＱ−ＡＣＫビットの数、ＴＢ１に対応するフィードバックビット、およびＴＢ２に対応するフィードバックビットを把握できない。
【００７４】
第３の状況において、ＵＥが、両方のＴＢのＤＣＩを正しく検出しないと仮定する。この場合、ＵＥは、基地局がＵＥのデータをスケジューリングすることになると見なし、ＵＥは、ＨＡＲＱ−ＡＣＫフィードバックを実施しない。
【００７５】
要約すれば、上記の３つの状況は、起こる可能性が高い。ＴＢに関する多重化ＨＡＲＱ−ＡＣＫの数が増加するにつれて、種々の可能な状況も、増加し得る。この場合、ＢＳは、ＵＥがＤＣＩを正しく受信したかどうかが不明であるので、ＢＳは、ＵＥによってフィードバックされる多重化信号、例えば、ＨＡＲＱ−ＡＣＫの合計ビット数を正確に決定することができない。したがって、ＢＳは、ＨＡＲＱ−ＡＣＫを検出することができないか、または、検出は、複雑すぎる。本開示は、上記の問題を簡略化および解決する方法を提供する。
【００７６】
第１の実施形態において、基地局は、ＵＥに関するＣＢＧ再伝送機構を構成し、ＵＥに関する複数のＴＢをスケジューリングし、ＵＥが複数のＴＢのＨＡＲＱ−ＡＣＫを多重化することを要求する。基地局が、フォールバックＤＣＩ、またはＣＢＧ再伝送機構をサポートしない任意の他のＤＣＩフォーマットを使用していくつかまたは全てのＴＢをスケジューリングし、かつ、ＵＥが複数のＴＢに対応するＤＣＩがフォールバックＤＣＩであることを検出した場合、ＵＥは、以下の様式でフォールバックＤＣＩによってスケジューリングされたＴＢに関するＨＡＲＱ−ＡＣＫを形成する：ＴＢに関して形成される最終フィードバックのビット数は、ＴＢに関するＣＢＧ  ＨＡＲＱ−ＡＣＫのビット数に等しい。例えば、ＵＥのために構成されるＣＢＧの数は、８であり、ＣＢＧ  ＨＡＲＱ−ＡＣＫは、８ビットであり、ＵＥがフォールバックＤＣＩによってスケジューリングされたＴＢをデコードした場合、１ビットＴＢ  ＨＡＲＱ−ＡＣＫが、最初に形成され、次いで、１ビットＨＡＲＱ−ＡＣＫは、ビット数がＣＢＧ  ＨＡＲＱ−ＡＣＫの８ビットに拡張されるまで繰り返される。別の様式において、例えば、ＵＥは、ＴＢに関する１ビットＴＢ  ＨＡＲＱ−ＡＣＫを形成し、次いで、予備ビットを埋めることによって要求されるビット数に拡張する。例えば、ＵＥは、最初に、１ビットＴＢ  ＨＡＲＱ−ＡＣＫを発生させ、次いで、８ビットまで７ビットを埋め直す。ここにおいて、ＣＢＧ  ＨＡＲＱ−ＡＣＫのビット数は、８であると仮定される。次いで、ＣＢＧ  ＨＡＲＱ−ＡＣＫは、多重化され、他のＴＢに関するＣＢＧ  ＨＡＲＱ−ＡＣＫとともに伝送される。
【００７７】
上で言及される複数のＴＢに関して、ＴＢのうちの１つ以上のものに対応するＤＣＩが検出されない場合、ＵＥは、ダウンリンク割り当てインデックス（ＤＡＩ）機構を通して、これらのＴＢに対応する検出されていないＤＣＩが存在するかどうかを決定することができる。この場合、ＵＥは、ＤＣＩのフォーマットを検出することができず、ＵＥが確実に把握しないので、ＤＣＩがフォールバックＤＣＩであるか、非フォールバックＤＣＩであるかは問題ではない。一例において、ＵＥは、ＴＢ  ＮＡＣＫを用いてこれらのＴＢを処理し、それは、フォールバックＤＣＩによってスケジューリングされたＴＢのプロセスと一貫する。別の例において、ＵＥは、これらのＴＢに関してＣＢＧ  ＨＡＲＱ−ＡＣＫを実施する。ＣＢＧの数を決定する方法は、フォールバックＤＣＩによってスケジューリングされたＴＢに関する最終的に送信されるＨＡＲＱ−ＡＣＫのビット数を決定する方法と一貫するか、または、ＣＢＧの数は、構成されたＣＢＧの数に等しい。
【００７８】
この場合、ＵＥが、フォールバックＤＣＩによってスケジューリングされたＴＢの検出に失敗した場合、基地局は、ＵＥによって送信される複数のＴＢに関する多重化されたＨＡＲＱ−ＡＣＫの合計ビット数を誤解しないであろう。フォールバックＤＣＩによってスケジューリングされたＴＢに関するＨＡＲＱ−ＡＣＫの信頼性も、向上させられる。
【００７９】
第２の実施形態において、複数のＴＢが、１つ以上のキャリア（または部分帯域幅とも呼ばれるサブ帯域幅）からのものであり、各キャリアにおいて構成されるＣＢＧの数が、同一であり、異なるキャリアのＴＢのＣＢＧの数は、異なるように構成され得ると仮定する。次いで、フォールバックＤＣＩによってスケジューリングされたＴＢに関するＨＡＲＱ−ＡＣＫを形成する規則は、以下である：ＴＢに関して形成される最終フィードバックのビット数は、非フォールバックＤＣＩによってスケジューリングされ、そのＴＢと同じキャリアによって搬送されるＴＢに関するＣＢＧ  ＨＡＲＱ−ＡＣＫのビット数に等しいこと。例えば、基地局が、あるキャリアによって搬送されるＴＢに対応するＣＢＧの数を４であるように構成する場合、ＵＥは、ＴＢに関する形成された１ビットＴＢ  ＨＡＲＱ−ＡＣＫを最大４ビットまで繰り返し、次いで、フィードバック中、このＴＢ  ＨＡＲＱ−ＡＣＫを他のＴＢに関するＨＡＲＱ−ＡＣＫと多重化する。
【００８０】
第３の実施形態において、１つのＴＢから分割されるＣＢＧの数は、上層シグナリング、例えば、無線リソース制御（ＲＲＣ）メッセージを通して基地局によって構成されるので、ＲＲＣメッセージの可能な再構成に起因して、ＵＥは、この期間中、長時間にわたって新しいＲＲＣメッセージを受信しないこともある。この場合、ＵＥは、時間内に基地局によって構成されたＣＢＧの新しい数を把握しないこともある。したがって、第１の実施形態に基づいて、フォールバックＤＣＩによってスケジューリングされたＴＢに関して形成される最終フィードバックのビット数は、ＴＢに関するＣＢＧ  ＨＡＲＱ−ＡＣＫのビット数に等しい。この場合、ＣＢＧの数は、ＵＥによって以前に受信された上層シグナリングまたはＵＥが正しく受信した最新の高レベルシグナリング構成によって構成され、それは、ＵＥが上層シグナリングを正しく受信し、上層シグナリングに関するＨＡＲＱ−ＡＣＫを送信しており、基地局がＨＡＲＱ−ＡＣＫを正しく受信した場合を指し得る。
【００８１】
第４の実施形態において、１つのＴＢから分割されるＣＢＧの数は、上層シグナリング、例えば、ＲＲＣメッセージを通して基地局によって構成されるので、ＲＲＣメッセージの可能な再構成に起因して、ＵＥは、この期間中、長時間にわたって新しいＲＲＣメッセージを受信しないこともある。この場合、ＵＥは、時間内に基地局によって構成されたＣＢＧの新しい数を把握しないこともある。したがって、第２の実施形態に基づいて、フォールバックＤＣＩによってスケジューリングされたＴＢに関して形成される最終フィードバックのビット数は、非フォールバックＤＣＩによってスケジューリングされ、そのＴＢと同じキャリアによって搬送されるＴＢに関するＣＢＧ  ＨＡＲＱ−ＡＣＫのビット数に等しい。この場合、ＣＢＧの数は、ＵＥによって以前に受信された上層シグナリング、または、ＵＥが正しく受信した最新の高レベルシグナリング構成によって構成され、それは、ＵＥが上層シグナリングを正しく受信し、上層シグナリングに関するＨＡＲＱ−ＡＣＫを送信しており、基地局がＨＡＲＱ−ＡＣＫを正しく受信した場合を指し得る。
【００８２】
第５の実施形態において、第１または第２の実施形態に基づいて、固定コードブックが、複数のＴＢのＨＡＲＱ−ＡＣＫが多重化されるときに使用されることが要求される。次いで、フォールバックＤＣＩによってスケジューリングされたＴＢに関して、ＵＥは、第１−第４の実施形態に例証される方法のうちの１つに従い、フィードバックビット数を決定し、対応するフィードバック信号を形成することができるが、フィードバックビット数は、上層シグナリングのキャリア情報または構成情報にかかわらず、固定される。
【００８３】
第６の実施形態において、第１−第４の実施形態に基づいて、ＵＥは、ＵＥがＴＢを検出し、正しくデコードしたとき、フォールバックＤＣＩによってスケジューリングされたＴＢに関して形成される最終フィードバックのビットを非フォールバックＤＣＩによってスケジューリングされたＴＢに関するＣＢＧ  ＨＡＲＱ−ＡＣＫのビットと同一であるように発生させる。すなわち、各フィードバックビットは、ＵＥがＴＢを検出し、正しくデコードしたとき、それぞれのＣＢＧに対応する。ＵＥがＴＢの検出に失敗したとき、すなわち、ＵＥがＴＢをスケジューリングするＤＣＩを正しく受信または検出しなかったときも、ＵＥは、フォールバックＤＣＩによってスケジューリングされたＴＢに関して形成される最終フィードバックのビットを非フォールバックＤＣＩによってスケジューリングされたＴＢに関するＣＢＧ  ＨＡＲＱ−ＡＣＫのビットと同一であるように発生させるが、各ＣＢＧは、この場合、否定応答（ＮＡＣＫ）をフィードバックされる。ＣＢＧの数は、第１−第４の実施形態に例証される方法のうちのいずれか１つに従って決定され得ることを理解されたい。
【００８４】
第７の実施形態において、第１−第４の実施形態に基づいて、基地局がＵＥに関する複数のＴＢをスケジューリングし、（複数のＴＢからの）１つのスケジューリングされたＴＢに関するＨＡＲＱ−ＡＣＫが以前のＴＢに関するＨＡＲＱ−ＡＣＫと多重化されることを要求する場合、基地局は、以前のＴＢと同じＤＣＩフォーマットを使用することによってＴＢをスケジューリングする。したがって、そのフィードバック信号が多重化される複数のＴＢに関して、１つの同じＤＣＩフォーマットが、常時使用されるであろう。例えば、ＣＢＧ再伝送機構をサポートするＤＣＩフォーマットまたはフォールバックＤＣＩフォーマットが、常時使用される。ＵＥは、複数のＴＢをスケジューリングするためのＤＣＩフォーマットに従って、多重化および伝送されるべき各ＴＢのためのＴＢ  ＨＡＲＱ−ＡＣＫまたはＣＢＧ  ＨＡＲＱ−ＡＣＫを形成することを決定する。
【００８５】
一例において、基地局がＵＥ１に関するＴＢ１をスケジューリングし、あるＤＣＩフォーマット（ＣＢＧをサポートするＤＣＩフォーマットまたはＣＢＧをサポートしないＤＣＩフォーマット）を使用する場合、基地局がＵＥ１に関するＴＢ２をスケジューリングするとき、基地局は、以前のＴＢ（すなわち、ＴＢ１）フォーマットと同じＤＣＩを使用する。同時に、基地局は、ＴＢ２に関するＨＡＲＱ−ＡＣＫがＴＢ１に関するＨＡＲＱ−ＡＣＫと多重化されるべきことを命令することができる。基地局が、ＵＥ１に関するＴＢ３をスケジューリングし、以前のＴＢと同じＤＣＩフォーマットを使用し続けるとき、基地局は、ＴＢ３に関するＨＡＲＱ−ＡＣＫもＴＢ１に関するＨＡＲＱ−ＡＣＫおよび／またはＴＢ２に関するＨＡＲＱ−ＡＣＫと多重化されるように命令することができる。
【００８６】
別の例において、基地局がＵＥ１に関するＴＢ１をスケジューリングし、あるＤＣＩフォーマット（ＣＢＧをサポートするＤＣＩフォーマットまたはＣＢＧをサポートしないＤＣＩフォーマット）を使用し、基地局がＵＥ１に関するＴＢ２をスケジューリングし、以前のＴＢ（すなわち、ＴＢ１）をスケジューリングするためのＤＣＩフォーマットと同じフォーマットを使用しない場合、基地局は、ＴＢ２に関するＨＡＲＱ−ＡＣＫをＴＢ１に関するＨＡＲＱ−ＡＣＫと多重化されないように構成すべきである。基地局が、ＵＥ１に関するＴＢ３をスケジューリングするために、ＴＢ１をスケジューリングしたＤＣＩフォーマットと同じＤＣＩフォーマットを使用する場合、基地局は、同時に、ＴＢ３に関するＨＡＲＱ−ＡＣＫをＴＢ１に関するＨＡＲＱ−ＡＣＫと多重化されるように構成することができる。基地局が、ＵＥ１に関するＴＢ３をスケジューリングするために、ＴＢ２をスケジューリングしたＤＣＩフォーマットと同じＤＣＩフォーマットを使用する場合、基地局は、同時に、ＴＢ３に関するＨＡＲＱ−ＡＣＫをＴＢ２に関するＨＡＲＱ−ＡＣＫと多重化されるように構成することができる。
【００８７】
異なるＴＢに関するＨＡＲＱ−ＡＣＫを多重化するために、基地局は、同じＤＣＩフォーマット（ＣＢＧをサポートするＤＣＩフォーマットまたはＣＢＧをサポートしないＤＣＩフォーマット）によってスケジューリングされるＴＢに関するＨＡＲＱ−ＡＣＫを多重化されるように構成し、異なるＤＣＩフォーマットによってスケジューリングされたＴＢに関する別個のＨＡＲＱ−ＡＣＫを個々にフィードバックされるように構成する。
【００８８】
第８の実施形態において、ＵＥの複数のＴＢに対応するＨＡＲＱ−ＡＣＫが一緒に多重化されるように要求される限定が存在する第１−第４の実施形態と異なり、第８の実施形態による以下の方法は、そのような限定を伴わずに使用され得る。
【００８９】
基地局は、ＵＥに関するＣＢＧ再伝送機構を構成し、ＣＢＧ  ＨＡＲＱ−ＡＣＫを送信するようにＵＥに要求する。ＵＥが、基地局がフォールバックＤＣＩ（またはＣＢＧ再伝送機構をサポートしない他のＤＣＩフォーマット）を使用し、ＵＥに関するＴＢをスケジューリングしたことを検出した場合、ＵＥによってフィードバックされるＴＢに関するＨＡＲＱ−ＡＣＫのビット数は、構成されたＣＢＧの数によって決定される（例えば、両方が、等しい）。構成されたＣＢＧの数は、ＴＢから分割されるＣＢＧの数であり、それは、基地局がＵＥに関するＣＢＧ再伝送機構を構成するときにＵＥに通知される。ＵＥによってフィードバックされるＴＢに関するＨＡＲＱ−ＡＣＫは、ＴＢ  ＨＡＲＱ−ＡＣＫとして形成され、次いで、所定のエンコード規約に従って要求されるビット数に拡張され、それは、したがって、信頼性を向上させる。このＴＢ  ＨＡＲＱ−ＡＣＫに関する伝送リソースは、ＴＢに関するＣＢＧ  ＨＡＲＱ−ＡＣＫの伝送リソースである。
【００９０】
代替として、フォールバックＤＣＩを使用して基地局によってスケジューリングされ、ＵＥがＴＢのＤＣＩを検出したＴＢに関して、ＵＥがＴＢを正しくデコードした場合、ＵＥは、ＴＢ  ＨＡＲＱ−ＡＣＫをフィードバックする（またはＴＢ  ＨＡＲＱ−ＡＣＫに関する上で言及されるエンコード拡張処理を実行し、次いで、ＴＢ  ＨＡＲＱ−ＡＣＫを送信する）。ＴＢが正しくデコードされない場合、ＵＥは、ＣＢＧ  ＨＡＲＱ−ＡＣＫをフィードバックする。この場合、ＵＥは、ＴＢに関するＣＢＧ  ＨＡＲＱ−ＡＣＫの伝送リソースを使用する。
【００９１】
フォールバックＤＣＩを使用して基地局によってスケジューリングされ、ＵＥがＴＢのＤＣＩを検出しない単一のＴＢに関して、いかなるＤＡＩ機構も存在しない場合、ＵＥは、ＴＢのＤＣＩフォーマットを把握せず、それがこのＴＢの検出に失敗したことを把握しないので、ＵＥは、いかなる処理も行わないであろう。
【００９２】
本開示の種々の実施形態が、上で説明されたが、それらは、限定としてではなく、例としてのみ提示されたことを理解されたい。同様に、種々の略図は、当業者が本開示の例示的特徴および機能を理解することを可能にするために提供される、例示的アーキテクチャまたは構成を描写し得る。しかしながら、そのような当業者は、本開示が、例証される例示的アーキテクチャまたは構成に制限されず、種々の代替アーキテクチャおよび構成を使用して実装され得ることを理解するであろう。加えて、当業者によって理解されるであろうように、１つの実施形態の１つ以上の特徴は、本明細書に説明される別の実施形態の１つ以上の特徴と組み合わせられることができる。したがって、本開示の範疇および範囲は、上で説明される例示的実施形態のうちのいずれかによって限定されるべきではない。
【００９３】
「第１」、「第２」等の指定を使用する本明細書における要素のいずれの言及も、概して、それらの要素の量または順序を限定しないことも理解されたい。むしろ、これらの指定は、２つ以上の要素または要素の事例を区別する便宜的な手段として本明細書に使用されることができる。したがって、第１および第２の要素の言及は、２つの要素のみが採用され得ること、または第１の要素がある様式で第２の要素に先行しなければならないことを意味しない。
【００９４】
加えて、当業者は、情報および信号が種々の異なる技術０よび技法のうちのいずれかを使用して表され得ることを理解するであろう。例えば、上記説明において言及され得る、例えば、データ、命令、コマンド、情報、信号、ビット、および記号は、電圧、電流、電磁波、磁場または磁性粒子、光学場または光学粒子、もしくはそれらの任意の組み合わせによって表されることができる。
【００９５】
当業者は、本明細書に開示される側面と関連して説明される種々の例証的論理ブロック、モジュール、プロセス、手段、回路、方法、および機能のうちの任意のものが、電子ハードウェア（例えば、デジタル実装、アナログ実装、または２つの組み合わせ）、ファームウェア、命令を組み込むプログラムまたは設計コードの種々の形態（本明細書において、便宜的に、「ソフトウェア」または「ソフトウェアモジュール」と称され得る）、もしくはこれらの技法の任意の組み合わせによって実装され得ることをさらに理解するであろう。
【００９６】
ハードウェア、ファームウェア、およびソフトウェアのこの適合性を明確に例証するために、種々の例証的コンポーネント、ブロック、モジュール、回路、およびステップが、概して、それらの機能性の観点から上で説明された。そのような機能性がハードウェア、ファームウェアまたはソフトウェア、もしくはこれらの技法の組み合わせとして実装されるかどうかは、システム全体に課される特定の用途および設計制約に依存する。当業者は、各特定の用途に関して種々の方法で説明される機能性を実装することができるが、そのような実装決定は、本開示の範囲からの逸脱を引き起こさない。種々の実施形態によると、プロセッサ、デバイス、コンポーネント、回路、構造、機械、モジュール等が、本明細書に説明される機能のうちの１つ以上のものを実施するように構成されることができる。規定された動作または機能に関して本明細書に使用されるような用語「〜するように構成される」または「〜のために構成される」は、規定された動作または機能を実施するように物理的に構築、プログラム、および／または配列されるプロセッサ、デバイス、コンポーネント、回路、構造、機械、モジュール等を指す。
【００９７】
さらに、当業者は、本明細書に説明される種々の例証的論理ブロック、モジュール、デバイス、コンポーネント、および回路が、汎用プロセッサ、デジタル信号プロセッサ（ＤＳＰ）、特定用途向け集積回路（ＡＳＩＣ）、フィールドプログラマブルゲートアレイ（ＦＰＧＡ）、または他のプログラマブル論理デバイス、もしくはそれらの任意の組み合わせを含み得る集積回路（ＩＣ）内に実装されるか、または、それによって実施され得ることを理解するであろう。論理ブロック、モジュール、および回路は、ネットワーク内またはデバイス内の種々のコンポーネントと通信するために、アンテナおよび／または送受信機をさらに含むことができる。汎用プロセッサは、マイクロプロセッサであり得るが、代替において、プロセッサは、任意の従来のプロセッサ、コントローラ、または状態マシンであり得る。プロセッサは、コンピューティングデバイスの組み合わせ、例えば、ＤＳＰおよびマイクロプロセッサの組み合わせ、複数のマイクロプロセッサ、ＤＳＰコアと併せた１つ以上のマイクロプロセッサ、または本明細書に説明される機能を実施するための任意の他の好適な構成としても実装されることができる。
【００９８】
ソフトウェアにおいて実装される場合、機能は、コンピュータ読み取り可能な媒体上の１つ以上の命令またはコードとして記憶されることができる。したがって、本明細書に開示される方法またはアルゴリズムのステップは、コンピュータ読み取り可能な媒体上に記憶されるソフトウェアとして実装されることができる。コンピュータ読み取り可能な媒体は、コンピュータプログラムまたはコードを１つの場所から別の場所に転送することを可能にされ得る任意の媒体を含むコンピュータ記憶媒体および通信媒体の両方を含む。記憶媒体は、コンピュータによってアクセスされ得る任意の利用可能な媒体であり得る。例として、限定ではないが、そのようなコンピュータ読み取り可能な媒体は、ＲＡＭ、ＲＯＭ、ＥＥＰＲＯＭ、ＣＤ−ＲＯＭ、または他の光学ディスク記憶装置、磁気ディスク記憶装置または他の磁気記憶デバイス、もしくは命令またはデータ構造の形態において所望のプログラムコードを記憶するために使用され得、コンピュータによってアクセスされ得る任意の他の媒体を含むことができる。
【００９９】
本書において、本明細書に使用されるような用語「モジュール」は、本明細書に説明される関連付けられる機能を実施するためのソフトウェア、ファームウェア、ハードウェア、およびこれらの要素の任意の組み合わせを指す。加えて、議論の目的のために、種々のモジュールが、別々のモジュールとして説明されるが、しかしながら、当業者に明白であろうように、２つ以上のモジュールが、本開示の実施形態による関連付けられる機能を実施する単一のモジュールを形成するために組み合わせられ得る。
【０１００】
加えて、メモリまたは他の記憶装置、および通信コンポーネントが、本開示の実施形態において採用され得る。明確化の目的のために、上記説明は、異なる機能ユニットおよびプロセッサを参照して、本開示の実施形態を説明したことを理解されたい。しかしながら、異なる機能ユニット、処理論理要素、または領域の間の機能性の任意の好適な分散が、本開示から逸脱することなく使用され得ることが明白であろう。例えば、別個の処理論理要素またはコントローラによって実施されるように例証される機能性は、同じ処理論理要素またはコントローラによって実施され得る。したがって、具体的機能ユニットの言及は、厳密な論理的または物理的構造もしくは編成を示すのではなく、説明される機能性を提供するための好適な手段の言及にすぎない。
【０１０１】
本開示に説明される実装の種々の修正が、当業者に容易に明らかであり、本明細書に定義される一般的原理は、本開示の範囲から逸脱することなく、他の実装に適用されることができる。したがって、本開示は、本明細書に示される実装に限定されることを意図しておらず、下記の請求項に列挙されるように、本明細書に開示される新規の特徴および原理と一貫する最も広い範囲を与えられるものである。
【図１】
2021503257.tif 000003
【図２】
2021503257.tif 000004
【図３】
2021503257.tif 000005
【図４】
2021503257.tif 000006
【図５】
2021503257.tif 000007
【図６】
2021503257.tif 000008
【図７】
2021503257.tif 000009
【図８】
2021503257.tif 000010
【図９】
2021503257.tif 000011
【手続補正書】
【提出日】令和2年7月16日(2020.7.16)
【手続補正１】
【補正対象書類名】特許請求の範囲
【補正対象項目名】全文
【補正方法】変更
【補正の内容】
【特許請求の範囲】
【請求項１】
無線通信デバイスによって実施される方法であって、前記方法は、
無線通信ノードから第１のフォーマットを有する第１のダウンリンク制御情報および第２のフォーマットを有する第２のダウンリンク制御情報を受信することと、
前記無線通信ノードから複数のトランスポートブロックを受信することであって、前記複数のトランスポートブロックの各々は、前記第１のダウンリンク制御情報および前記第２のダウンリンク制御情報のうちの１つによってスケジューリングされている、ことと、
複数のフィードバック信号を前記無線通信ノードに伝送することと
を含み、
前記複数のフィードバック信号の各々は、同じサイズを有し、前記複数のトランスポートブロックのうちのそれぞれのものに対応している、方法。
【請求項２】
前記複数のフィードバック信号は、同じ伝送リソースを使用して多重化される、請求項１に記載の方法。
【請求項３】
前記第１のフォーマットは、フォールバックモードダウンリンク制御情報を示し、
前記フォールバックモードダウンリンク制御情報によってスケジューリングされたトランスポートブロックに対応するフィードバック信号は、トランスポートブロックのレベルであり、
前記第２のフォーマットは、非フォールバックモードダウンリンク制御情報を示し、
前記非フォールバックモードダウンリンク制御情報によってスケジューリングされたトランスポートブロックに対応するフィードバック信号は、コードブロックグループのレベルである、請求項１に記載の方法。
【請求項４】
前記第２のダウンリンク制御情報によってスケジューリングされた各トランスポートブロックは、同じ構成数のコードブロックグループを含み、
前記第１のダウンリンク制御情報によってスケジューリングされた各トランスポートブロックに対応するフィードバック信号は、その量がコードブロックグループの前記構成数と同じであるフィードバックビットを含む、請求項１に記載の方法。
【請求項５】
前記フィードバックビットのうちの１つは、
前記無線通信デバイスが前記トランスポートブロックを検出し、正しくデコードすることに従った前記トランスポートブロックの肯定応答、
前記無線通信デバイスが前記トランスポートブロックを検出するが、正しくデコードしないことに従った前記トランスポートブロックの否定応答、または、
前記無線通信デバイスが前記トランスポートブロックの検出に失敗することに従った前記トランスポートブロックの否定応答
のうちの１つを示し、
残りのフィードバックビットは、所定のパターンを有する、請求項４に記載の方法。
【請求項６】
同じキャリアによって搬送されるトランスポートブロックは、同じ数のコードブロックグループを有する、請求項１に記載の方法。
【請求項７】
前記フィードバック信号の第１のビットは、前記トランスポートブロックに関するハイブリッド自動再送要求肯定応答（ＨＡＲＱ−ＡＣＫ）を示し、
前記フィードバック信号の残りのビットの各々は、前記第１のビットのコピーである、
請求項４に記載の方法。
【請求項８】
無線通信ノードによって実施される方法であって、前記方法は、
第１のフォーマットを有する第１のダウンリンク制御情報および第２のフォーマットを有する第２のダウンリンク制御情報を無線通信デバイスに伝送することと、
複数のトランスポートブロックを前記無線通信デバイスに伝送することであって、前記複数のトランスポートブロックの各々は、前記第１のダウンリンク制御情報および前記第２のダウンリンク制御情報のうちの１つによってスケジューリングされている、ことと、
前記無線通信デバイスから複数のフィードバック信号を受信することと
を含み、
前記複数のフィードバック信号の各々は、同じサイズを有し、前記複数のトランスポートブロックのうちのそれぞれのものに対応している、方法。
【請求項９】
前記複数のフィードバック信号は、同じ伝送リソースを使用して前記無線通信デバイスによって多重化される、請求項８に記載の方法。
【請求項１０】
前記第１のフォーマットは、フォールバックモードダウンリンク制御情報を示し、
前記フォールバックモードダウンリンク制御情報によってスケジューリングされたトランスポートブロックに対応するフィードバック信号は、トランスポートブロックのレベルであり、
前記第２のフォーマットは、非フォールバックモードダウンリンク制御情報を示し、
前記非フォールバックモードダウンリンク制御情報によってスケジューリングされたトランスポートブロックに対応するフィードバック信号は、コードブロックグループのレベルである、請求項８に記載の方法。
【請求項１１】
前記第２のダウンリンク制御情報によってスケジューリングされた各トランスポートブロックは、同じ構成数のコードブロックグループを含み、
前記第１のダウンリンク制御情報によってスケジューリングされた各トランスポートブロックに対応するフィードバック信号は、その量がコードブロックグループの前記構成数と同じであるフィードバックビットを含む、請求項８に記載の方法。
【請求項１２】
前記フィードバックビットのうちの１つは、
前記無線通信デバイスが前記トランスポートブロックを検出し、正しくデコードすることに従った前記トランスポートブロックの肯定応答、
前記無線通信デバイスが前記トランスポートブロックを検出するが、正しくデコードしないことに従った前記トランスポートブロックの否定応答、または、
前記無線通信デバイスが前記トランスポートブロックの検出に失敗することに従った前記トランスポートブロックの否定応答
のうちの１つを示し、
残りのフィードバックビットは、所定のパターンを有する、請求項１６に記載の方法。
【請求項１３】
同じキャリアによって搬送されるトランスポートブロックは、同じ数のコードブロックグループを有する、請求項８に記載の方法。
【請求項１４】
前記フィードバック信号の第１のビットは、前記トランスポートブロックに関するハイブリッド自動再送要求肯定応答（ＨＡＲＱ−ＡＣＫ）を示し、
前記フィードバック信号の残りのビットの各々は、前記第１のビットのコピーである、
請求項１１に記載の方法。
【請求項１５】
プロセッサ、メモリ、および無線インターフェースを備えている第１の通信装置であって、前記メモリは、命令を記憶しており、前記命令は、実行されると、
第２の通信装置から第１のフォーマットを有する第１のダウンリンク制御情報および第２のフォーマットを有する第２のダウンリンク制御情報を受信することと、
前記第２の通信装置から複数のトランスポートブロックを受信することであって、前記複数のトランスポートブロックの各々は、前記第１のダウンリンク制御情報および前記第２のダウンリンク制御情報のうちの１つによってスケジューリングされている、ことと、
複数のフィードバック信号を前記第２の通信装置に伝送することと
を前記プロセッサに行わせ、
前記複数のフィードバック信号の各々は、同じサイズを有し、前記複数のトランスポートブロックのうちのそれぞれのものに対応している、第１の通信装置。
【請求項１６】
プロセッサ、メモリ、および無線インターフェースを備えている第１の通信装置であって、前記メモリは、命令を記憶しており、前記命令は、実行されると、
第１のフォーマットを有する第１のダウンリンク制御情報および第２のフォーマットを有する第２のダウンリンク制御情報を第２の通信装置に伝送することと、
複数のトランスポートブロックを前記第２の通信装置に伝送することであって、前記複数のトランスポートブロックの各々は、前記第１のダウンリンク制御情報および前記第２のダウンリンク制御情報のうちの１つによってスケジューリングされている、ことと、
前記第２の通信装置から複数のフィードバック信号を受信することと
を前記プロセッサに行わせ、
前記複数のフィードバック信号の各々は、同じサイズを有し、前記複数のトランスポートブロックのうちのそれぞれのものに対応している、第１の通信装置。
【請求項１７】
コンピュータ実行可能命令を記憶している非一過性コンピュータ読み取り可能な媒体であって、前記コンピュータ実行可能命令は、無線通信デバイスのプロセッサによって実行されると、前記プロセッサに方法を実装させ、前記方法は、
無線通信ノードから第１のフォーマットを有する第１のダウンリンク制御情報および第２のフォーマットを有する第２のダウンリンク制御情報を受信することと、
前記無線通信ノードから複数のトランスポートブロックを受信することであって、前記複数のトランスポートブロックの各々は、前記第１のダウンリンク制御情報および前記第２のダウンリンク制御情報のうちの１つによってスケジューリングされている、ことと、
複数のフィードバック信号を前記無線通信ノードに伝送することと
を含み、
前記複数のフィードバック信号の各々は、同じサイズを有し、前記複数のトランスポートブロックのうちのそれぞれのものに対応している、非一過性コンピュータ読み取り可能な媒体
【請求項１８】
コンピュータ実行可能命令を記憶している非一過性コンピュータ読み取り可能な媒体であって、前記コンピュータ実行可能命令は、無線通信ノードのプロセッサによって実行されると、前記プロセッサに方法を実装させ、前記方法は、
第１のフォーマットを有する第１のダウンリンク制御情報および第２のフォーマットを有する第２のダウンリンク制御情報を無線通信デバイスに伝送することと、
複数のトランスポートブロックを前記無線通信デバイスに伝送することであって、前記複数のトランスポートブロックの各々は、前記第１のダウンリンク制御情報および前記第２のダウンリンク制御情報のうちの１つによってスケジューリングされている、ことと、
前記無線通信デバイスから複数のフィードバック信号を受信することと
を含み、
前記複数のフィードバック信号の各々は、同じサイズを有し、前記複数のトランスポートブロックのうちのそれぞれのものに対応している、非一過性コンピュータ読み取り可能な媒体。
【手続補正２】
【補正対象書類名】明細書
【補正対象項目名】００１０
【補正方法】変更
【補正の内容】
【００１０】
なおも別の実施形態において、いくつかの実施形態において開示される方法を実行するためのコンピュータ実行可能命令を記憶している非一過性コンピュータ読み取り可能な媒体が、開示される。
本発明は、例えば、以下を提供する。
（項目１）
無線通信デバイスによって実施される方法であって、前記方法は、
無線通信ノードから第１のフォーマットを有する第１のダウンリンク制御情報および第２のフォーマットを有する第２のダウンリンク制御情報を受信することと、
前記無線通信ノードから複数のトランスポートブロックを受信することであって、前記複数のトランスポートブロックの各々は、前記第１のダウンリンク制御情報および前記第２のダウンリンク制御情報のうちの１つによってスケジューリングされている、ことと、
複数のフィードバック信号を前記無線通信ノードに伝送することと
を含み、
前記複数のフィードバック信号の各々は、同じサイズを有し、前記複数のトランスポートブロックのうちのそれぞれのものに対応している、方法。
（項目２）
前記複数のフィードバック信号は、同じ伝送リソースを使用して多重化される、項目１に記載の方法。
（項目３）
前記第１のフォーマットは、フォールバックモードダウンリンク制御情報を示し、前記第１のフォーマットによってスケジューリングされたトランスポートブロックは、第１のサイズを有するフィードバックをトリガするように要求され、
前記第２のフォーマットは、非フォールバックモードダウンリンク制御情報を示し、前記第２のフォーマットによってスケジューリングされたトランスポートブロックは、第２のサイズを有するフィードバックをトリガするように要求される、項目１に記載の方法。
（項目４）
前記第２のダウンリンク制御情報によってスケジューリングされた各トランスポートブロックは、同じ数のコードブロックグループを含み、
前記第１のダウンリンク制御情報によってスケジューリングされた各トランスポートブロックに対応するフィードバック信号は、前記コードブロックグループの数と同じ数のフィードバックビットを含む、項目３に記載の方法。
（項目５）
前記フィードバックビットの各々は、前記無線通信デバイスが前記トランスポートブロックを検出し、正しくデコードすることに従って、前記トランスポートブロックの肯定応答を示し、
前記フィードバックビットの各々は、前記無線通信デバイスが前記トランスポートブロックを検出するが、正しくデコードしないことに従って、前記トランスポートブロックの否定応答を示し、
前記フィードバックビットの各々は、前記無線通信デバイスが前記トランスポートブロックの検出に失敗することに従って、前記トランスポートブロックの否定応答を示す、
項目４に記載の方法。
（項目６）
前記フィードバックビットのうちの１つは、前記無線通信デバイスが前記トランスポートブロックを検出し、正しくデコードすることに従って、前記トランスポートブロックの肯定応答を示し、前記無線通信デバイスが前記トランスポートブロックを検出するが、正しくデコードしないことに従って、前記トランスポートブロックの否定応答を示し、前記無線通信デバイスが前記トランスポートブロックの検出に失敗することに従って、前記トランスポートブロックの否定応答を示し、
残りのフィードバックビットは、前記無線通信デバイスおよび前記無線通信ノードによって設定された所定のパターンを有する、項目４に記載の方法。
（項目７）
前記フィードバックビットの各々は、前記無線通信デバイスが前記トランスポートブロックを検出することに従って、前記それぞれのコードブロックグループのデコード結果に応じて、前記トランスポートブロックにおける前記コードブロックグループのうちのそれぞれのものの肯定応答または否定応答を示し、
前記フィードバックビットの各々は、前記無線通信デバイスが前記トランスポートブロックの検出に失敗することに従って、前記トランスポートブロックにおける前記コードブロックグループのうちのそれぞれのものの否定応答を示す、項目４に記載の方法。
（項目８）
前記複数のトランスポートブロックは、少なくとも１つのキャリアによって搬送され、
同じキャリアによって搬送されるトランスポートブロックは、同じ数のコードブロックグループを有し、
前記第１のダウンリンク制御情報によってスケジューリングされた第１のトランスポートブロックに対応するフィードバック信号は、前記第２のダウンリンク制御情報によってスケジューリングされ、前記第１のトランスポートブロックと同じキャリアによって搬送される第２のトランスポートブロックにおけるコードブロックグループの数と同じ数のフィードバックビットを含む、項目３に記載の方法。
（項目９）
前記第１のダウンリンク制御情報によってスケジューリングされた第１のトランスポートブロックに対応するフィードバック信号は、前記第２のダウンリンク制御情報によってスケジューリングされた第２のトランスポートブロックにおけるコードブロックグループの数と同じ数のフィードバックビットを含み、
前記数は、前記無線通信デバイスによって受信された最新の上層信号によって構成される、項目３に記載の方法。
（項目１０）
各トランスポートブロックに対応するフィードバック信号は、前記無線通信デバイスおよび前記無線通信ノードによって設定された同じ数かつ固定された数のビットを含む、項目１に記載の方法。
（項目１１）
前記複数のフィードバック信号の各々は、異なる伝送リソースを使用して伝送される、項目１に記載の方法。
（項目１２）
前記第１のフォーマットは、フォールバックモードダウンリンク制御情報を示し、
前記第１のダウンリンク制御情報によってスケジューリングされた各トランスポートブロックに対応するフィードバック信号は、前記無線通信デバイスが前記トランスポートブロックを検出し、正しくデコードすることに従って、前記トランスポートブロックの肯定応答を示す１ビットを含み、前記無線通信デバイスが前記トランスポートブロックを検出するが、正しくデコードしないことに従って、前記トランスポートブロックにおけるコードブロックグループの数と同じ数のフィードバックビットを含む、項目１１に記載の方法。
（項目１３）
無線通信ノードによって実施される方法であって、前記方法は、
第１のフォーマットを有する第１のダウンリンク制御情報および第２のフォーマットを有する第２のダウンリンク制御情報を無線通信デバイスに伝送することと、
複数のトランスポートブロックを前記無線通信デバイスに伝送することであって、前記複数のトランスポートブロックの各々は、前記第１のダウンリンク制御情報および前記第２のダウンリンク制御情報のうちの１つによってスケジューリングされている、ことと、
前記無線通信デバイスから複数のフィードバック信号を受信することと
を含み、
前記複数のフィードバック信号の各々は、同じサイズを有し、前記複数のトランスポートブロックのうちのそれぞれのものに対応している、方法。
（項目１４）
前記複数のフィードバック信号は、同じ伝送リソースを使用して前記無線通信デバイスによって多重化される、項目１３に記載の方法。
（項目１５）
前記第１のフォーマットは、フォールバックモードダウンリンク制御情報を示し、前記第１のフォーマットによってスケジューリングされたトランスポートブロックは、第１のサイズを有するフィードバックをトリガするように要求され、
前記第２のフォーマットは、非フォールバックモードダウンリンク制御情報を示し、前記第２のフォーマットによってスケジューリングされたトランスポートブロックは、第２のサイズを有するフィードバックをトリガするように要求される、項目１３に記載の方法。
（項目１６）
前記第２のダウンリンク制御情報によってスケジューリングされた各トランスポートブロックは、同じ数のコードブロックグループを含み、
前記第１のダウンリンク制御情報によってスケジューリングされた各トランスポートブロックに対応するフィードバック信号は、前記コードブロックグループの数と同じ数のフィードバックビットを含む、項目１５に記載の方法。
（項目１７）
前記フィードバックビットの各々は、前記無線通信デバイスが前記トランスポートブロックを検出し、正しくデコードすることに従って、前記トランスポートブロックの肯定応答を示し、
前記フィードバックビットの各々は、前記無線通信デバイスが前記トランスポートブロックを検出するが、正しくデコードしないことに従って、前記トランスポートブロックの否定応答を示し、
前記フィードバックビットの各々は、前記無線通信デバイスが前記トランスポートブロックの検出に失敗することに従って、前記トランスポートブロックの否定応答を示す、
項目１６に記載の方法。
（項目１８）
前記フィードバックビットのうちの１つは、前記無線通信デバイスが前記トランスポートブロックを検出し、正しくデコードすることに従って、前記トランスポートブロックの肯定応答を示し、前記無線通信デバイスが前記トランスポートブロックを検出するが、正しくデコードしないことに従って、前記トランスポートブロックの否定応答を示し、前記無線通信デバイスが前記トランスポートブロックの検出に失敗することに従って、前記トランスポートブロックの否定応答を示し、
残りのフィードバックビットは、前記無線通信デバイスおよび前記無線通信ノードによって設定された所定のパターンを有する、項目１６に記載の方法。
（項目１９）
前記フィードバックビットの各々は、前記無線通信デバイスが前記トランスポートブロックを検出することに従って、前記それぞれのコードブロックグループのデコード結果に応じて、前記トランスポートブロックにおける前記コードブロックグループのうちのそれぞれのものの肯定応答または否定応答を示し、
前記フィードバックビットの各々は、前記無線通信デバイスが前記トランスポートブロックの検出に失敗することに従って、前記トランスポートブロックにおける前記コードブロックグループのうちのそれぞれのものの否定応答を示す、項目１６に記載の方法。
（項目２０）
前記複数のトランスポートブロックは、少なくとも１つのキャリアによって搬送され、
同じキャリアによって搬送されるトランスポートブロックは、同じ数のコードブロックグループを有し、
前記第１のダウンリンク制御情報によってスケジューリングされた第１のトランスポートブロックに対応するフィードバック信号は、前記第２のダウンリンク制御情報によってスケジューリングされ、前記第１のトランスポートブロックと同じキャリアによって搬送される第２のトランスポートブロックにおけるコードブロックグループの数と同じ数のフィードバックビットを含む、項目１５に記載の方法。
（項目２１）
前記第１のダウンリンク制御情報によってスケジューリングされた第１のトランスポートブロックに対応するフィードバック信号は、前記第２のダウンリンク制御情報によってスケジューリングされた第２のトランスポートブロックにおけるコードブロックグループの数と同じ数のフィードバックビットを含み、
前記数は、前記無線通信デバイスによって受信された最新の上層シグナリングによって構成される、項目１５に記載の方法。
（項目２２）
各トランスポートブロックに対応するフィードバック信号は、前記無線通信デバイスおよび前記無線通信ノードによって設定された同じ数かつ固定された数のビットを含む、項目１３に記載の方法。
（項目２３）
前記複数のフィードバック信号の各々は、異なる伝送リソースを使用して伝送される、項目１３に記載の方法。
（項目２４）
前記第１のフォーマットは、フォールバックモードダウンリンク制御情報を示し、
前記第１のダウンリンク制御情報によってスケジューリングされた各トランスポートブロックに対応するフィードバック信号は、前記無線通信デバイスが前記トランスポートブロックを検出し、正しくデコードすることに従って、前記トランスポートブロックの肯定応答を示す１ビットを含み、前記無線通信デバイスが前記トランスポートブロックを検出するが、正しくデコードしないことに従って、前記トランスポートブロックにおけるコードブロックグループの数と同じ数のフィードバックビットを含む、項目２３に記載の方法。
（項目２５）
第１のフィードバック信号が伝送リソースを使用して前記無線通信デバイスによって伝送されるように、前記第１のフィードバック信号に対応する前記複数のトランスポートブロックのうちの第１のトランスポートブロックをスケジューリングすることと、
前記複数のトランスポートブロックのうちの第２のトランスポートブロックに対応する第２のフィードバック信号が同じ伝送リソースを使用して前記第１のフィードバック信号と多重化されるべきであることに応答して、前記第１のトランスポートブロックと同じダウンリンク制御情報によって前記第２のトランスポートブロックをスケジューリングすることと、
前記第２のフィードバック信号が前記第１のフィードバック信号と多重化されるべきでないことに応答して、前記第１のトランスポートブロックと異なるダウンリンク制御情報によって前記第２のトランスポートブロックをスケジューリングすることと
をさらに含む、項目１５に記載の方法。
（項目２６）
項目１−１２のいずれか１項に記載の方法を実行するように構成された無線通信デバイス。
（項目２７）
項目１３−２５のいずれか１項に記載の方法を実行するように構成された無線通信ノード。
（項目２８）
項目１−２５のいずれか１項に記載の方法を実行するためのコンピュータ実行可能命令を記憶している非一過性コンピュータ読み取り可能な媒体。
【手続補正書】
【提出日】令和2年9月2日(2020.9.2)
【手続補正１】
【補正対象書類名】特許請求の範囲
【補正対象項目名】全文
【補正方法】変更
【補正の内容】
【特許請求の範囲】
【請求項１】
無線通信デバイスによって実施される方法であって、前記方法は、
無線通信ノードから第１のフォーマットを有する第１のダウンリンク制御情報および第２のフォーマットを有する第２のダウンリンク制御情報を受信することと、
前記無線通信ノードから複数のトランスポートブロックを受信することであって、前記複数のトランスポートブロックの各々は、前記第１のダウンリンク制御情報および前記第２のダウンリンク制御情報のうちの１つによってスケジューリングされている、ことと、
複数のフィードバック信号を前記無線通信ノードに伝送することと
を含み、
前記複数のフィードバック信号の各々は、同じサイズを有し、前記複数のトランスポートブロックのうちのそれぞれのものに対応しており、
前記第１のフォーマットを有する前記第１のダウンリンク制御情報によってスケジューリングされたトランスポートブロックに対応するフィードバック信号は、トランスポートブロックのレベルであり、
前記第２のフォーマットを有する前記第２のダウンリンク制御情報によってスケジューリングされたトランスポートブロックに対応するフィードバック信号は、コードブロックグループのレベルである、方法。
【請求項２】
前記複数のフィードバック信号は、同じ伝送リソースを使用して多重化される、請求項１に記載の方法。
【請求項３】
前記第１のフォーマットは、フォールバックモードダウンリンク制御情報を示し、
前記第２のフォーマットは、非フォールバックモードダウンリンク制御情報を示す、請求項１に記載の方法。
【請求項４】
前記第２のダウンリンク制御情報によってスケジューリングされた各トランスポートブロックは、同じ構成数のコードブロックグループを含み、
前記第１のダウンリンク制御情報によってスケジューリングされた各トランスポートブロックに対応するフィードバック信号は、その量がコードブロックグループの前記構成数と同じであるフィードバックビットを含む、請求項１に記載の方法。
【請求項５】
前記フィードバックビットのうちの１つは、
前記無線通信デバイスが前記トランスポートブロックを検出し、正しくデコードすることに従った前記トランスポートブロックの肯定応答、
前記無線通信デバイスが前記トランスポートブロックを検出するが、正しくデコードしないことに従った前記トランスポートブロックの否定応答、または、
前記無線通信デバイスが前記トランスポートブロックの検出に失敗することに従った前記トランスポートブロックの否定応答
のうちの１つを示し、
残りのフィードバックビットは、所定のパターンを有する、請求項４に記載の方法。
【請求項６】
同じキャリアによって搬送されるトランスポートブロックは、同じ数のコードブロックグループを有する、請求項１に記載の方法。
【請求項７】
前記フィードバック信号の第１のビットは、前記トランスポートブロックに関するハイブリッド自動再送要求肯定応答（ＨＡＲＱ−ＡＣＫ）を示し、
前記フィードバック信号の残りのフィードバックビットの各々は、前記第１のビットのコピーである、請求項４に記載の方法。
【請求項８】
無線通信ノードによって実施される方法であって、前記方法は、
第１のフォーマットを有する第１のダウンリンク制御情報および第２のフォーマットを有する第２のダウンリンク制御情報を無線通信デバイスに伝送することと、
複数のトランスポートブロックを前記無線通信デバイスに伝送することであって、前記複数のトランスポートブロックの各々は、前記第１のダウンリンク制御情報および前記第２のダウンリンク制御情報のうちの１つによってスケジューリングされている、ことと、
前記無線通信デバイスから複数のフィードバック信号を受信することと
を含み、
前記複数のフィードバック信号の各々は、同じサイズを有し、前記複数のトランスポートブロックのうちのそれぞれのものに対応しており、
前記第１のフォーマットを有する前記第１のダウンリンク制御情報によってスケジューリングされたトランスポートブロックに対応するフィードバック信号は、トランスポートブロックのレベルであり、
前記第２のフォーマットを有する前記第２のダウンリンク制御情報によってスケジューリングされたトランスポートブロックに対応するフィードバック信号は、コードブロックグループのレベルである、方法。
【請求項９】
前記複数のフィードバック信号は、同じ伝送リソースを使用して前記無線通信デバイスによって多重化される、請求項８に記載の方法。
【請求項１０】
前記第１のフォーマットは、フォールバックモードダウンリンク制御情報を示し、
前記第２のフォーマットは、非フォールバックモードダウンリンク制御情報を示す、請求項８に記載の方法。
【請求項１１】
前記第２のダウンリンク制御情報によってスケジューリングされた各トランスポートブロックは、同じ構成数のコードブロックグループを含み、
前記第１のダウンリンク制御情報によってスケジューリングされた各トランスポートブロックに対応するフィードバック信号は、その量がコードブロックグループの前記構成数と同じであるフィードバックビットを含む、請求項８に記載の方法。
【請求項１２】
前記フィードバックビットのうちの１つは、
前記無線通信デバイスが前記トランスポートブロックを検出し、正しくデコードすることに従った前記トランスポートブロックの肯定応答、
前記無線通信デバイスが前記トランスポートブロックを検出するが、正しくデコードしないことに従った前記トランスポートブロックの否定応答、または、
前記無線通信デバイスが前記トランスポートブロックの検出に失敗することに従った前記トランスポートブロックの否定応答
のうちの１つを示し、
残りのフィードバックビットは、所定のパターンを有する、請求項１１に記載の方法。
【請求項１３】
同じキャリアによって搬送されるトランスポートブロックは、同じ数のコードブロックグループを有する、請求項８に記載の方法。
【請求項１４】
前記フィードバック信号の第１のビットは、前記トランスポートブロックに関するハイブリッド自動再送要求肯定応答（ＨＡＲＱ−ＡＣＫ）を示し、
前記フィードバック信号の残りのフィードバックビットの各々は、前記第１のビットのコピーである、請求項１１に記載の方法。
【請求項１５】
プロセッサ、メモリ、および無線インターフェースを備えている第１の通信装置であって、前記メモリは、命令を記憶しており、前記命令は、実行されると、
第２の通信装置から第１のフォーマットを有する第１のダウンリンク制御情報および第２のフォーマットを有する第２のダウンリンク制御情報を受信することと、
前記第２の通信装置から複数のトランスポートブロックを受信することであって、前記複数のトランスポートブロックの各々は、前記第１のダウンリンク制御情報および前記第２のダウンリンク制御情報のうちの１つによってスケジューリングされている、ことと、
複数のフィードバック信号を前記第２の通信装置に伝送することと
を前記プロセッサに行わせ、
前記複数のフィードバック信号の各々は、同じサイズを有し、前記複数のトランスポートブロックのうちのそれぞれのものに対応しており、
前記第１のフォーマットを有する前記第１のダウンリンク制御情報によってスケジューリングされたトランスポートブロックに対応するフィードバック信号は、トランスポートブロックのレベルであり、
前記第２のフォーマットを有する前記第２のダウンリンク制御情報によってスケジューリングされたトランスポートブロックに対応するフィードバック信号は、コードブロックグループのレベルである、第１の通信装置。
【請求項１６】
プロセッサ、メモリ、および無線インターフェースを備えている第１の通信装置であって、前記メモリは、命令を記憶しており、前記命令は、実行されると、
第１のフォーマットを有する第１のダウンリンク制御情報および第２のフォーマットを有する第２のダウンリンク制御情報を第２の通信装置に伝送することと、
複数のトランスポートブロックを前記第２の通信装置に伝送することであって、前記複数のトランスポートブロックの各々は、前記第１のダウンリンク制御情報および前記第２のダウンリンク制御情報のうちの１つによってスケジューリングされている、ことと、
前記第２の通信装置から複数のフィードバック信号を受信することと
を前記プロセッサに行わせ、
前記複数のフィードバック信号の各々は、同じサイズを有し、前記複数のトランスポートブロックのうちのそれぞれのものに対応しており、
前記第１のフォーマットを有する前記第１のダウンリンク制御情報によってスケジューリングされたトランスポートブロックに対応するフィードバック信号は、トランスポートブロックのレベルであり、
前記第２のフォーマットを有する前記第２のダウンリンク制御情報によってスケジューリングされたトランスポートブロックに対応するフィードバック信号は、コードブロックグループのレベルである、第１の通信装置。
【国際調査報告】
2021503257.tif 000012
2021503257.tif 000013